(57)【要約】複数の被写体に順次焦点を合わせて動画を撮像する際に、各被写体が静止しているか否かに限らず、全ての被写体に対して合焦精度の高いフォーカスブラケット撮像を行うことができる撮像装置、撮像方法、プログラム及び記録媒体を提供する。複数の被写体のそれぞれの合焦位置にフォーカスレンズを順次移動させながら、動画を撮像するフォーカスブラケット撮像を行う撮像装置である。被写体特定部が、撮像部により撮像される光学像に含まれる複数の被写体を特定し、順位付け部が、複数の被写体の焦点調節の順位付けを行う。制御部は、複数の被写体のうちの一の被写体の合焦位置にフォーカスレンズを移動させ、一の被写体に対する自動焦点調節の動作を一定時間（Ｔｃ）継続させる合焦制御を、順位付け部により順位付けられた順に繰り返し実行する。
2019187648.tif 000002
【特許請求の範囲】
【請求項１】
複数の被写体に順次焦点を合わせて動画を撮像する撮像装置であって、
フォーカスレンズを含む撮像光学系を通過した光学像を受光し、前記光学像を示す動画を撮像する撮像部と、
前記撮像部により撮像される光学像に含まれる複数の被写体を特定する被写体特定部と、
前記複数の被写体の焦点調節の順位付けを行う順位付け部と、
前記複数の被写体のいずれかに合焦する合焦位置に前記フォーカスレンズを移動させる自動焦点調節を行う自動焦点調節部と、
前記複数の被写体の前記焦点調節の順位にしたがって前記自動焦点調節部による各被写体の自動焦点調節を順次行わせる制御部と、を備え、
前記制御部は、前記自動焦点調節部を制御し、前記複数の被写体のうちの一の被写体の合焦位置に前記フォーカスレンズを移動させ、前記一の被写体に対する自動焦点調節を一定時間継続させる合焦制御を、前記順位付け部により順位付けられた順に繰り返し実行させる撮像装置。
【請求項２】
一の被写体に対する合焦時間を設定する合焦時間設定部を備え、
前記一定時間は、前記合焦時間設定部により設定された前記合焦時間である請求項１に記載の撮像装置。
【請求項３】
前記動画の総撮像時間を設定する撮像時間設定部を備え、
前記一定時間は、前記撮像時間設定部により設定された前記動画の総撮像時間と前記複数の被写体の個数とに基づいて決定される時間である請求項１に記載の撮像装置。
【請求項４】
前記一定時間は、前記動画の総撮像時間を前記複数の被写体の個数で除算した均等時間である請求項３に記載の撮像装置。
【請求項５】
前記一定時間は、前記動画の総撮像時間を、前記複数の被写体毎に重み付けされた時間配分で被写体毎に割り当てた時間である請求項３に記載の撮像装置。
【請求項６】
前記被写体毎に割り当てられる前記一定時間は、前記動画の総撮像時間と、前記複数の被写体の各被写体の前記動画中での大きさ、前記撮像装置から前記各被写体までの距離及び前記各被写体の移動速度のうちの少なくとも一つにより決定される請求項５に記載の撮像装置。
【請求項７】
前記順位付け部は、前記複数の被写体の各被写体の前記動画中での大きさ、前記撮像装置から前記各被写体までの距離、又は前記各被写体の移動速度に基づいて前記複数の被写体の焦点調節の順位付けを行う請求項１から６のいずれか１項に記載の撮像装置。
【請求項８】
前記複数の被写体のそれぞれの合焦位置を逐次検出する合焦位置検出部を備え、
前記順位付け部は、前記焦点調節する被写体の順位を入れ替え、一の被写体の合焦位置から次の被写体の合焦位置に前記フォーカスレンズを移動させる際の前記フォーカスレンズの移動方向を一定方向にする請求項１から７のいずれか１項に記載の撮像装置。
【請求項９】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節の順位を前記表示部に表示させる通知部と、
を備えた請求項１から７のいずれか１項に記載の撮像装置。
【請求項１０】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節の順位を前記表示部に表示させる通知部と、を備え、
前記通知部は、前記順位付け部により前記焦点調節する被写体の順位が入れ替えられると、前記順位が入れ替わった前記各被写体の焦点調節の順位を通知する請求項８に記載の撮像装置。
【請求項１１】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節の順位を前記表示部に表示させる通知部と、を備え、
前記通知部は、前記複数の被写体のうちの前記自動焦点調節が行われて動画の撮像が終了した被写体を通知する請求項１から７のいずれか１項に記載の撮像装置。
【請求項１２】
前記被写体特定部は、任意の被写体を指定する操作部により指定された各被写体を前記焦点調節を行う複数の被写体として特定する請求項１から１１のいずれか１項に記載の撮像装置。
【請求項１３】
前記撮像部は、位相差画素を有するイメージセンサを備え、
前記自動焦点調節部は、前記イメージセンサの前記位相差画素の出力に基づいて前記各被写体の合焦位置を検出し、前記複数の被写体のうちの一の被写体の合焦位置に前記フォーカスレンズを移動させる請求項１から１２のいずれか１項に記載の撮像装置。
【請求項１４】
前記イメージセンサは、前記撮像光学系を通過した光学像の受光による信号電荷の蓄積と読み出しをライン毎に行うセンサであり、
前記自動焦点調節部は、前記自動焦点調節を行う一の被写体の光学像が受光するラインの読み出しタイミングにおいて、前記一の被写体の合焦位置に前記フォーカスレンズを移動させる請求項１３に記載の撮像装置。
【請求項１５】
前記イメージセンサは、前記被写体の光学像の受光による信号電荷の蓄積と読み出しをライン毎に行うセンサであり、
前記自動焦点調節部は、前記自動焦点調節を行う一の被写体の光学像が受光するラインの露光開口の中央の読み出しタイミングにおいて、前記一の被写体の合焦位置に前記フォーカスレンズを移動させる請求項１３に記載の撮像装置。
【請求項１６】
前記撮像部は、位相差画素と動画撮像用の通常画素とを有するイメージセンサを備え、動画の１フレームの第１のタイミングで前記位相差画素から位相差情報を出力し、前記第１のタイミングよりも遅い第２のタイミングで前記通常画素から動画を構成する１フレームの画像を出力し、
前記自動焦点調節部は、前記第１のタイミングで出力された前記位相差情報に基づいて前記第２のタイミングで出力される前記１フレームの画像に対する焦点調節を行う請求項１から１５のいずれか１項に記載の撮像装置。
【請求項１７】
複数の被写体に順次焦点を合わせて動画を撮像する撮像方法であって、
撮像部により撮像される光学像に含まれる複数の被写体を特定するステップと、
前記複数の被写体の焦点調節の順位付けを行うステップと、
制御部が自動焦点調節部を制御し、前記複数の被写体の前記焦点調節の順位にしたがって前記自動焦点調節部による各被写体の自動焦点調節を順次行わせるステップと、を含み、
前記制御部が自動焦点調節部を制御するステップは、
前記自動焦点調節部を制御し、前記複数の被写体のうちの一の被写体に対する自動焦点調節を一定時間継続させる合焦制御を、前記順位付けられた順に繰り返し実行させる撮像方法。
【請求項１８】
請求項１７に記載の撮像方法を撮像装置内のコンピュータにより実現させるプログラム。
【請求項１９】
請求項１７に記載の撮像方法を撮像装置内のコンピュータにより実現させるプログラムが格納された記録媒体。
【発明の詳細な説明】
【技術分野】
【０００１】
本発明は撮像装置、撮像方法、プログラム及び記録媒体に係り、特にフォーカスレンズを順次移動させて動画を撮像するフォーカスブラケット撮像を行う技術に関する。
【背景技術】
【０００２】
従来、フォーカスブラケット撮像により動画を撮像する撮像装置として、特許文献１、２に記載のものがある。【０００３】
特許文献１に記載の撮像装置は、フォーカスレンズを移動しながら画像データの複数の部分領域の各々に対する合焦位置（フォーカスレンズの位置）を検出するスキャン動作を行い、スキャン動作の結果得られた、複数の部分領域の合焦位置の情報に基づいて、フォーカスレンズの移動速度を切り換えながらフォーカスレンズを移動し、動画の撮像及び記録を行うようにしている。【０００４】
特に、特許文献１に記載の撮像装置は、フォーカスブラケット撮像機能によりフォーカスレンズを連続的に移動させるが、所定距離以上離れて隣り合う合焦位置の間では、隣り合う合焦位置の間の距離が所定距離未満の場合に比べてフォーカスレンズを速い速度で移動させ、これにより至近から無限遠までのフォーカスブラケット撮像機能での動画の撮像時間の短縮化を図っている。【０００５】
また、特許文献２に記載の撮像装置は、特許文献１に記載の撮像装置と同様にフォーカスブラケット撮像機能での動画の撮像を行うもので、動画撮影の方式として、各合焦位置でフォーカスレンズを停止させて動画撮影を行う第１方式と、各合焦位置でフォーカスレンズを停止させることなく移動させながら動画撮影を行う第２方式とを有している。【０００６】
第１方式は、各フレームの画像を露光中は、各合焦位置でフォーカスレンズを停止させ、露光完了後に次の合焦位置にフォーカスレンズを移動させる方式である。特許文献２に記載の撮像装置は、特に被写体が静止しているときは第１方式を設定し、被写体が静止していないときは第２方式を設定するようにしている。
【先行技術文献】
【特許文献】
【０００７】
【特許文献１】国際公開第２０１７／０６１０９５号
【特許文献２】国際公開第２０１７／０９０２３３号
【発明の概要】
【発明が解決しようとする課題】
【０００８】
特許文献１に記載の発明は、フォーカスブラケット撮像を行う際に、所定距離以上離れて隣り合う合焦位置の間では、隣り合う合焦位置の間の距離が所定距離未満の場合に比べてフォーカスレンズを速い速度で移動させる。これにより、特許文献１に記載の発明は、至近から無限遠までのフォーカスブラケット撮像機能での動画の撮像時間の短縮化を図ることができる。しかし、特許文献１に記載の発明は、合焦位置においてもフォーカスレンズが常に移動しているため、例えば、静止している被写体の合焦位置にフォーカスレンズが移動しても、その静止している被写体の露光期間中にフォーカスレンズの合焦位置が変動する。これにより、合焦精度が低下し、画質のよい静止画（動画の１フレーム）を撮像することができないという問題がある。【０００９】
一方、特許文献２に記載の発明は、各合焦位置でフォーカスレンズを停止させて動画撮影を行う第１方式と、各合焦位置でフォーカスレンズを停止させることなく移動させながら動画撮影を行う第２方式とを有している。これにより、特許文献２に記載の発明は、被写体が停止しているか否かに応じて第１方式又は第２方式をユーザが適宜選択し、又はプリスキャン時に被写体の動きベクトルを検出し、自動的に第１方式又は第２方式を切り替えることで、合成精度を向上させた、適切なフォーカスブラケット撮像を可能にしている。【００１０】
しかしながら、特許文献２に記載の発明は、フォーカスブラケット撮像を第１方式で行うか又は第２方式で行うかは、ユーザが事前に選択し、又はプリスキャン時に得られる被写体の状況から自動的に選択する必要がある。すなわち、特許文献２に記載の発明は、フォーカスブラケット撮像中に第１方式と第２方式とが切り替わることがない。従って、特許文献２に記載の発明は、例えば、静止している被写体に対して第１方式を選択した場合、第１方式によるフォーカスブラケット撮像中に被写体が移動すると合焦精度が低下し、同様に動いている被写体に対して第２方式を選択した場合、第２方式によるフォーカスブラケット撮像中に被写体が静止すると、合焦精度が低下するという問題がある。【００１１】
また、同一の撮像範囲内に複数の被写体が存在し、かつ静止している被写体と動いている被写体とが混在する場合、第１方式又は第２方式では、全ての被写体に対して合焦精度の高いフォーカスブラケット撮像を行うことができないという問題がある。【００１２】
本発明はこのような事情に鑑みてなされたもので、複数の被写体に順次焦点を合わせて動画を撮像する際に、各被写体が静止しているか否かに限らず、全ての被写体に対して合焦精度の高いフォーカスブラケット撮像を行うことができる撮像装置、撮像方法、プログラム及び記録媒体を提供することを目的とする。
【課題を解決するための手段】
【００１３】
上記目的を達成するために本発明の一の態様に係る撮像装置は、複数の被写体に順次焦点を合わせて動画を撮像する撮像装置であって、フォーカスレンズを含む撮像光学系を通過した光学像を受光し、光学像を示す動画を撮像する撮像部と、撮像部により撮像される光学像に含まれる複数の被写体を特定する被写体特定部と、複数の被写体の焦点調節の順位付けを行う順位付け部と、複数の被写体のいずれかに合焦する合焦位置にフォーカスレンズを移動させる自動焦点調節を行う自動焦点調節部と、複数の被写体の焦点調節の順位にしたがって自動焦点調節部による各被写体の自動焦点調節を順次行わせる制御部と、を備え、制御部は、自動焦点調節部を制御し、複数の被写体のうちの一の被写体の合焦位置にフォーカスレンズを移動させ、一の被写体に対する自動焦点調節を一定時間継続させる合焦制御を、順位付け部により順位付けられた順に繰り返し実行させる。【００１４】
本発明の一の態様によれば、複数の被写体のうちの一の被写体の合焦位置にフォーカスレンズを移動させ、一の被写体に対する自動焦点調節を一定時間継続させる合焦制御を、順位付け部により順位付けられた順に繰り返し実行するため、複数の被写体が静止しているか否かに関わらず、全ての被写体に対して合焦精度の高いフォーカスブラケット撮像を行うことができる。【００１５】
本発明の他の態様に係る撮像装置において、一の被写体に対する合焦時間を設定する合焦時間設定部を備え、一定時間は、合焦時間設定部により設定された合焦時間であることが好ましい。一定時間は、自動焦点調節による合焦制御が完了する時間以上であることが好ましく、例えば、数秒程度に設定することが可能である。【００１６】
本発明の更に他の態様に係る撮像装置において、動画の総撮像時間を設定する撮像時間設定部を備え、一定時間は、撮像時間設定部により設定された動画の総撮像時間と複数の被写体の個数とに基づいて決定される時間であることが好ましい。【００１７】
本発明の更に他の態様に係る撮像装置において、一定時間は、動画の総撮像時間を複数の被写体の個数で除算した均等時間であることが好ましい。これにより、合焦制御の時間を、各被写体に対して均等に割り当てることができる。【００１８】
本発明の更に他の態様に係る撮像装置において、一定時間は、動画の総撮像時間を、複数の被写体毎に重み付けされた時間配分で被写体毎に割り当てた時間であることが好ましい。【００１９】
本発明の更に他の態様に係る撮像装置において、被写体毎に割り当てられる一定時間は、動画の総撮像時間と、複数の被写体の各被写体の動画中での大きさ、撮像装置から各被写体までの距離及び各被写体の移動速度のうちの少なくとも一つにより決定されることが好ましい。動画の総撮像時間を、複数の被写体毎に重み付けされた時間配分で割り当てる際に、各被写体の動画中での大きさに応じて、被写体が大きい程、その被写体に割り当てる時間（合焦制御の時間）を長く又は短くすることができ、同様に撮像装置から各被写体までの距離、あるいは各被写体の移動速度に応じて、各被写体に割り当てる時間を調整することが可能である。【００２０】
本発明の更に他の態様に係る撮像装置において、順位付け部は、複数の被写体の各被写体の動画中での大きさ、撮像装置から各被写体までの距離、又は各被写体の移動速度に基づいて複数の被写体の焦点調節の順位付けを行うことが好ましい。例えば、撮像装置から被写体までの距離に基づいて各被写体の順位付けを行うと、複数の被写体に順次焦点を合わせる際に、ある被写体の合焦位置から次の被写体の合焦位置にフォーカスレンズを移動させるときに、フォーカスレンズの移動方向が逆方向にならないようにすることができる。尚、各被写体が、例えば人物のような同種の被写体の場合、動画中での各被写体の大きさは、撮像装置から各被写体までの距離に対応する。【００２１】
本発明の更に他の態様に係る撮像装置において、複数の被写体のそれぞれの合焦位置を逐次検出する合焦位置検出部を備え、順位付け部は、焦点調節する被写体の順位を入れ替え、一の被写体の合焦位置から次の被写体の合焦位置にフォーカスレンズを移動させる際のフォーカスレンズの移動方向を一定方向にすることが好ましい。複数の被写体の全部又は一部が移動する場合、各被写体の順位を決定した後のフォーカスブラケット撮像中に、各被写体の位置関係が変動する場合がある。この場合には、焦点調節する被写体の順位を入れ替えることで、被写体の合焦位置にフォーカスレンズを移動させる際のフォーカスレンズの移動方向を一定方向にすることができる。【００２２】
本発明の更に他の態様に係る撮像装置において、撮像部により撮像された動画を表示する表示部と、動画中の複数の被写体を検出する被写体検出部と、被写体検出部により検出された複数の被写体及び順位付け部により順位付けられた複数の被写体の焦点調節の順位を表示部に表示させる通知部と、を備えることが好ましい。これにより、ユーザは、どの被写体に対してフォーカスブラケット撮像が行われるか、また、フォーカスブラケット撮像される各被写体の撮像順位を知ることができる。【００２３】
本発明の更に他の態様に係る撮像装置において、撮像部により撮像された動画を表示する表示部と、動画中の複数の被写体を検出する被写体検出部と、被写体検出部により検出された複数の被写体及び順位付け部により順位付けられた複数の被写体の焦点調節の順位を表示部に表示させる通知部と、を備え、通知部は、順位付け部により焦点調節する被写体の順位が入れ替えられると、順位が入れ替わった各被写体の焦点調節の順位を通知することが好ましい。これにより、フォーカスブラケット撮像される各被写体の撮像順位が入れ替わった場合、ユーザは、入れ替わった後の各被写体の撮像順位を知ることができる。【００２４】
本発明の更に他の態様に係る撮像装置において、撮像部により撮像された動画を表示する表示部と、動画中の複数の被写体を検出する被写体検出部と、被写体検出部により検出された複数の被写体及び順位付け部により順位付けられた複数の被写体の焦点調節の順位を表示部に表示させる通知部と、を備え、通知部は、複数の被写体のうちの自動焦点調節が行われて動画の撮像が終了した被写体を通知することが好ましい。これにより、ユーザは、複数の被写体のうちの、どの順位の被写体までフォーカスブラケット撮像が完了したかを知ることができる。【００２５】
本発明の更に他の態様に係る撮像装置において、被写体特定部は、任意の被写体を指定する操作部により指定された各被写体を、焦点調節を行う複数の被写体として特定することが好ましい。これにより、例えば、撮像範囲内に被写体となり得る複数の人物が存在する場合、フォーカスブラケット撮像される人物と、フォーカスブラケット撮像されない人物とを振り分けることができる。【００２６】
本発明の更に他の態様に係る撮像装置において、撮像部は、位相差画素を有するイメージセンサを備え、自動焦点調節部は、イメージセンサの位相差画素の出力に基づいて各被写体の合焦位置を検出し、複数の被写体のうちの一の被写体の合焦位置にフォーカスレンズを移動させることが好ましい。イメージセンサの位相差画素の出力に基づいて各被写体の合焦位置を検出する場合、複数の被写体の合焦位置を、動画の１フレームの撮像時間に相当する時間で検出することができ、合焦制御をリアルタイムに実現することができる。【００２７】
本発明の更に他の態様に係る撮像装置において、イメージセンサは、撮像光学系を通過した光学像の受光による信号電荷の蓄積と読み出しをライン毎に行うセンサであり、自動焦点調節部は、自動焦点調節を行う一の被写体の光学像が受光するラインの読み出しタイミングにおいて、一の被写体の合焦位置にフォーカスレンズを移動させることが好ましい。一の被写体の合焦位置は、その一の被写体の光学像が受光するラインの位相差画素の出力により検出することができ、このラインの読み出しタイミングで自動焦点調節を行うことで、一の被写体に対して最も早いタイミングで自動焦点調節を可能にしている。【００２８】
本発明の更に他の態様に係る撮像装置において、イメージセンサは、被写体の光学像の受光による信号電荷の蓄積と読み出しをライン毎に行うセンサであり、自動焦点調節部は、自動焦点調節を行う一の被写体の光学像が受光するラインの露光開口の中央の読み出しタイミングにおいて、一の被写体の合焦位置にフォーカスレンズを移動させることが好ましい。これにより、一の被写体の中央（一の被写体の光学像が受光するラインの露光開口の中央）の位置で検出された、一の被写体の合焦位置に基づいて、一の被写体に対する自動焦点調節を行うことができる。【００２９】
本発明の更に他の態様に係る撮像装置において、撮像部は、位相差画素と動画撮像用の通常画素とを有するイメージセンサを備え、動画の１フレームの第１のタイミングで位相差画素から位相差情報を出力し、第１のタイミングよりも遅い第２のタイミングで通常画素から動画を構成する１フレームの画像を出力し、自動焦点調節部は、第１のタイミングで出力された位相差情報に基づいて第２のタイミングで出力される１フレームの画像に対する焦点調節を行うことが好ましい。第１のタイミングで位相差画素から位相差情報を先読みし、第１のタイミングよりも遅い第２のタイミングで出力される１フレームの画像に対して自動焦点調節を行うことで、合焦制御中に撮像される画像に対して焦点調節を適切に行うことができる。【００３０】
更に他の態様に係る本発明は、複数の被写体に順次焦点を合わせて動画を撮像する撮像方法であって、撮像部により撮像される光学像に含まれる複数の被写体を特定するステップと、複数の被写体の焦点調節の順位付けを行うステップと、制御部が自動焦点調節部を制御し、複数の被写体の焦点調節の順位にしたがって自動焦点調節部による各被写体の自動焦点調節を順次行わせるステップと、を含み、制御部が自動焦点調節部を制御するステップは、自動焦点調節部を制御し、複数の被写体のうちの一の被写体に対する自動焦点調節を一定時間継続させる合焦制御を、順位付けられた順に繰り返し実行させる。【００３１】
更に他の態様に係る本発明は、上記の撮像方法を撮像装置内のコンピュータにより実現させるプログラムである。【００３２】
更に他の態様に係る本発明は、上記の撮像方法を撮像装置内のコンピュータにより実現させるプログラムが格納された記録媒体である。
【発明の効果】
【００３３】
本発明によれば、複数の被写体のうちの一の被写体の合焦位置にフォーカスレンズを移動させ、一の被写体に対する自動焦点調節を一定時間継続させる合焦制御を、順位付け部により順位付けられた最初の順位の被写体から最後の順位の被写体まで繰り返し実行するため、複数の被写体が静止しているか否かに関わらず、全ての被写体に対して合焦精度の高いフォーカスブラケット撮像を行うことができる。
【図面の簡単な説明】
【００３４】
【図１】図１は本発明に係る撮像装置を斜め前方から見た斜視図である。
【図２】図２は撮像装置の背面図である。
【図３】図３は撮像装置の内部構成の実施形態を示すブロック図である。
【図４】図４はイメージセンサの構成例を示す図である。
【図５】図５はイメージセンサの位相差画素行の一部の断面を示す概略図である。
【図６】図６はイメージセンサの撮像領域における第１の位相差画素及び第２の位相差画素が配置される領域の一例を示す図である。
【図７】図７はフォーカスブラケット撮像を実行する本体側ＣＰＵ２２０の実施形態を示す機能ブロック図である。
【図８】図８は動画の垂直同期信号（Ａ）、ローリングシャッタ方式によるイメージセンサ画素読み出し（Ｂ）、及びフォーカスレンズ位置（Ｃ）を示すタイミングチャートである。
【図９】図９は被写体毎に重み付けされる時間配分の一例を説明するために用いる図である。
【図１０】図１０は被写体の個数Ｎ及び時間配分の順位Ｓ［ｍ］に応じた、総撮像時間Ｔを１とした場合の各被写体の時間配分を示す図表である。
【図１１】図１１は本発明に係る撮像方法の第１の実施形態を示すフローチャートである。
【図１２】図１２は本発明に係る撮像方法の第２の実施形態を示すフローチャートである。
【図１３】図１３は本発明に係る撮像方法の第３の実施形態を示すフローチャートである。
【図１４】図１４は本発明に係る撮像方法の第４の実施形態を示すフローチャートである。
【図１５】図１５は動画の垂直同期信号（Ａ）、ローリングシャッタ方式によるイメージセンサ画素読み出し（Ｂ）、及びフォーカスレンズ位置（Ｃ）を示すタイミングチャートである。
【図１６】図１６は本発明に係る撮影装置の一実施形態であるスマートフォンの外観図である。
【図１７】図１７はスマートフォンの構成を示すブロック図である。
【発明を実施するための形態】
【００３５】
以下、添付図面にしたがって、本発明に係る撮像装置、撮像方法、プログラム及び記録媒体の好ましい実施の形態について説明する。
【００３６】
＜撮像装置の外観＞
図１は撮像装置を斜め前方から見た斜視図であり、図２は撮像装置の背面図である。
【００３７】
図１に示すように撮像装置１０は、交換レンズ１００と、交換レンズ１００が着脱可能なカメラ本体２００とから構成されたミラーレスのデジタル一眼カメラである。
【００３８】
図１において、カメラ本体２００の前面には、交換レンズ１００が装着される本体マウント２６０と、光学ファインダのファインダ窓２０等が設けられ、カメラ本体２００の上面には、主としてシャッタレリーズスイッチ２２、シャッタスピードダイヤル２３、露出補正ダイヤル２４、電源レバー２５、及び内蔵フラッシュ３０が設けられている。
【００３９】
また、図２に示すようにカメラ本体２００の背面には、主として液晶モニタ２１６、光学ファインダの接眼部２６、ＭＥＮＵ／ＯＫキー２７、十字キー２８、再生ボタン２９等が設けられている。
【００４０】
液晶モニタ２１６は、撮影モード時にライブビュー画像を表示したり、再生モード時に撮像した画像を再生表示する他、各種のメニュー画面を表示する表示部として機能し、またユーザに対して各種の情報を通知する通知部として機能する。ＭＥＮＵ／ＯＫキー２７は、液晶モニタ２１６の画面上にメニューを表示させる指令を行うためのメニューボタンとしての機能と、選択内容の確定及び実行などを指令するＯＫボタンとしての機能とを兼備した操作キーである。十字キー２８は、上下左右の４方向の指示を入力する操作部であり、メニュー画面から項目を選択したり、各メニューから各種設定項目の選択を指示したりするマルチファンクションキーとして機能する。また、十字キー２８の上キー及び下キーは撮像時のズームスイッチあるいは再生モード時の再生ズームスイッチとして機能し、左キー及び右キーは再生モード時のコマ送り（順方向及び逆方向送り）ボタンとして機能する。また、液晶モニタ２１６に表示された複数の被写体から焦点調節を行う任意の被写体を指定する操作部としても機能する。
【００４１】
また、ＭＥＮＵ／ＯＫキー２７、十字キー２８、及び液晶モニタ２１６に表示されるメニュー画面を使用することで、１枚の静止画を撮像する静止画撮像モードの他に、動画を撮像する動画撮像モード、動画撮像モードの一種であって、複数の被写体に順次焦点を合わせて動画を撮像するフォーカスブラケット撮像モードを含む各種の撮像モードの設定を行うことができる。
【００４２】
再生ボタン２９は、記録した静止画又は動画を液晶モニタ２１６に表示させる再生モードに切り替えるためのボタンである。
【００４３】
＜撮像装置の内部構成＞
［交換レンズ］
図３は、撮像装置１０の内部構成の実施形態を示すブロック図である。
【００４４】
撮像装置１０を構成する撮像光学系として機能する交換レンズ１００は、カメラ本体２００の通信規格に沿って製造されたものであり、後述するようにカメラ本体２００との間で通信を行うことができる交換レンズである。この交換レンズ１００は、撮像光学系１０２、フォーカスレンズ制御部１１６、絞り制御部１１８、レンズ側ＣＰＵ（Central Processing Unit）１２０、フラッシュＲＯＭ(Read Only Memory)１２６、レンズ側通信部１５０、及びレンズマウント１６０を備える。
【００４５】
交換レンズ１００の撮像光学系１０２は、フォーカスレンズを含むレンズ群１０４及び絞り１０８を含む。
【００４６】
フォーカスレンズ制御部１１６は、レンズ側ＣＰＵ１２０からの指令にしたがってフォーカスレンズを移動させ、フォーカスレンズの位置（合焦位置）を制御する。絞り制御部１１８は、レンズ側ＣＰＵ１２０からの指令にしたがって絞り１０８を制御する。
【００４７】
レンズ側ＣＰＵ１２０は、交換レンズ１００を統括制御するもので、ＲＯＭ１２４及びＲＡＭ(Random Access Memory)１２２を内蔵している。
【００４８】
フラッシュＲＯＭ１２６は、カメラ本体２００からダウンロードされたプログラム等を格納する不揮発性のメモリである。
【００４９】
レンズ側ＣＰＵ１２０は、ＲＯＭ１２４又はフラッシュＲＯＭ１２６に格納された制御プログラムに従い、ＲＡＭ１２２を作業領域として、交換レンズ１００の各部を統括制御する。
【００５０】
レンズ側通信部１５０は、レンズマウント１６０がカメラ本体２００の本体マウント２６０に装着されている状態で、レンズマウント１６０に設けられた複数の信号端子（レンズ側信号端子）を介してカメラ本体２００との通信を行う。即ち、レンズ側通信部１５０は、レンズ側ＣＰＵ１２０の指令にしたがって、レンズマウント１６０及び本体マウント２６０を介して接続されたカメラ本体２００の本体側通信部２５０との間で、リクエスト信号、回答信号の送受信（双方向通信）を行い、撮像光学系１０２の各光学部材のレンズ情報（フォーカスレンズの位置情報、焦点距離情報及び絞り情報等）を、カメラ本体２００に通知する。
【００５１】
また、交換レンズ１００は、フォーカスレンズの位置情報、及び絞り情報を検出する検出部（図示せず）を備えている。ここで、絞り情報とは、絞り１０８の絞り値（Ｆ値）、絞り１０８の開口径等を示す情報である。以下、本例では、絞り情報としてＦ値を使用する。
【００５２】
レンズ側ＣＰＵ１２０は、カメラ本体２００からのレンズ情報のリクエストに応えるために、検出されたフォーカスレンズの位置情報及び絞り情報を含む各種のレンズ情報をＲＡＭ１２２に保持することが好ましい。また、レンズ情報は、カメラ本体２００からのレンズ情報の要求があると検出され、又は光学部材が駆動されるときに検出され、又は一定の周期（動画のフレーム周期よりも十分に短い周期）で検出され、検出結果を保持することができる。
【００５３】
［カメラ本体］
図３に示す撮像装置１０を構成するカメラ本体２００は、イメージセンサ２０１、イメージセンサ制御部２０２、アナログ信号処理部２０３、Ａ／Ｄ（Analog/Digital）変換器２０４、画像入力コントローラ２０５、デジタル信号処理部２０６、ＲＡＭ２０７、圧縮伸張処理部２０８、メディア制御部２１０、メモリカード２１２、表示制御部２１４、液晶モニタ２１６、本体側ＣＰＵ２２０、操作部２２２、時計部２２４、フラッシュＲＯＭ２２６、ＲＯＭ２２８、ＡＦ(Autofocus)制御部２３０、ＡＥ（Auto Exposure)制御部２３２、ホワイトバランス補正部２３４、無線通信部２３６、ＧＰＳ(Global Positioning System)受信部２３８、電源制御部２４０、バッテリ２４２、本体側通信部２５０、本体マウント２６０、内蔵フラッシュ３０（図１）を構成するフラッシュ発光部２７０、フラッシュ制御部２７２、フォーカルプレーンシャッタ（ＦＰＳ：focal-plane shutter）２８０、及びＦＰＳ制御部２９６を備える。
【００５４】
＜イメージセンサの構成＞
イメージセンサ２０１は、ＣＭＯＳ(Complementary Metal-Oxide Semiconductor)型のカラーイメージセンサにより構成されている。尚、イメージセンサ２０１は、ＣＭＯＳ型に限らず、ＸＹアドレス型、又はＣＣＤ（Charge Coupled Device）型のイメージセンサでもよい。
【００５５】
イメージセンサ２０１は、図４に示すようにｘ方向（水平方向）及びｙ方向（垂直方向）に二次元的に配列された光電変換素子（フォトダイオード）で構成される複数の画素上に、赤（Ｒ）、緑（Ｇ）及び青（Ｂ）のカラーフィルタが、周期的色配列（図４に示す例では、一般的なベイヤ配列）で配設され、各フォトダイオード上にはマイクロレンズが配置されている。
【００５６】
また、イメージセンサ２０１は、位相差画素（第１の位相差画素ＰＡ，第２の位相差画素ＰＢ）と、静止画撮像又は動画撮像用の通常画素（位相差画素以外の画素）が配置されている。
【００５７】
ベイヤ配列を有するイメージセンサ２０１において、通常画素のみが水平方向（行方向）に配置された通常画素行は、Ｒフィルタを有する画素（Ｒ画素）とＧフィルタを有する画素（Ｇ画素）とが行方向に交互に配置されたＲＧ行と、Ｇ画素とＢフィルタを有する画素（Ｂ画素）とが行方向に交互に配置されたＧＢ行とがある。また、ＲＧ行とＧＢ行とは、垂直方向（列方向）に交互に配置されている。
【００５８】
また、イメージセンサ２０１は、第１の位相差画素ＰＡ及び第２の位相差画素ＰＢが設けられた位相差画素行と、通常画素のみが設けられている通常画素行とを有している。
【００５９】
イメージセンサ２０１の位相差画素行は、ベイヤ配列の特定のＧＢ行において、一対の第１の位相差画素ＰＡ及び第２の位相差画素ＰＢと１つの通常画素の３画素を１周期として周期的に行方向に配置されて構成されている。したがって、位相差画素行には、Ｇ画素とＢ画素とが行方向に２画素（一対の第１の位相差画素ＰＡ及び第２の位相差画素ＰＢ）置きに交互に配置されている。尚、本例の位相差画素行は、ベイヤ配列のＧＢ行に設けられているが、これに限らず、ＲＧ行に設けるようにしてもよい。
【００６０】
周期的色配列は、ベイヤ配列に限らず、Ｘ−Ｔｒａｎｓ（登録商標）配列等の他のカラーフィルタ配列でもよい。
【００６１】
図５は、図４に示した位相差画素行において、それぞれ隣接して配設された第１の位相差画素ＰＡ及び第２の位相差画素ＰＢの構成を示す要部拡大図である。
【００６２】
図５に示すように第１の位相差画素ＰＡのフォトダイオードＰＤの前面側（マイクロレンズＭＬ側）には、遮光膜ＭＡが配設され、一方、第２の位相差画素ＰＢのフォトダイオードＰＤの前面側には、遮光膜ＭＢが配設される。マイクロレンズＭＬ及び遮光膜ＭＡ、ＭＢは瞳分割機能を有し、図５上で、遮光膜ＭＡは、フォトダイオードＰＤの受光面の左半分を遮光する。そのため、第１の位相差画素ＰＡには、撮像光学系１０２の射出瞳を通過する光束のうちの光軸の左側領域を通過する光束のみが選択的に受光される。また、カラーフィルタＣＦとして、ＧフィルタがマイクロレンズＭＬの下方に配置されている。
【００６３】
一方、遮光膜ＭＢは、第２の位相差画素ＰＢのフォトダイオードＰＤの受光面の右半分を遮光する。そのため、第２の位相差画素ＰＢには、撮像光学系１０２の射出瞳を通過する光束のうちの光軸の右側領域を通過する光束のみが選択的に受光される。このように、瞳分割機能を有するマイクロレンズＭＬ及び遮光膜ＭＡ、ＭＢにより、射出瞳を通過する光束が左右に分割され、それぞれ第１の位相差画素ＰＡ及び第２の位相差画素ＰＢに入射する。
【００６４】
したがって、本例のイメージセンサ２０１の第１の位相差画素ＰＡ及び第２の位相差画素ＰＢの瞳分割方向は、水平方向（ｘ方向）（図４上の左右方向）である。
【００６５】
図６は、イメージセンサ２０１の撮像領域における位相差画素行の配置の一例を示す図であり、本例では、撮像領域の全域にわたって位相差画素行が配置されている。
【００６６】
図３に戻って、交換レンズ１００の撮像光学系１０２によってイメージセンサ２０１の受光面に結像された被写体の光学像は、イメージセンサ２０１によって電気信号に変換される。イメージセンサ２０１の各画素には、入射する光量に応じた電荷が蓄積され、イメージセンサ２０１からは各画素に蓄積された電荷量（信号電荷）に応じた電気信号が画像信号として読み出される。
【００６７】
イメージセンサ制御部２０２は、本体側ＣＰＵ２２０の指令にしたがってイメージセンサ２０１から画像信号の読み出し制御を行う。また、本例のイメージセンサ２０１及びイメージセンサ制御部２０２は、少なくとも１つ以上のライン毎や画素毎に順次露光動作を行う（即ち、ライン毎や画素毎に順次リセットを行い、電荷の蓄積を開始し、蓄積した電荷を読み出す方式である）、いわゆるローリングシャッタ方式にて駆動することができ、特にＦＰＳ２８０を開放した状態でローリングシャッタ方式にて動画の撮像、又はライブビュー画像の撮像を行う機能を有する。
【００６８】
アナログ信号処理部２０３は、イメージセンサ２０１で被写体を撮像して得られたアナログの画像信号に対して、各種のアナログ信号処理を施す。アナログ信号処理部２０３は、サンプリングホールド回路、色分離回路、ＡＧＣ（Automatic Gain Control）回路等を含んで構成されている。ＡＧＣ回路は、撮像時の感度（ＩＳＯ感度(ＩＳＯ：International Organization for Standardization)）を調整する感度調整部として機能し、入力する画像信号を増幅する増幅器のゲインを調整し、画像信号の信号レベルが適切な範囲に入るようにする。Ａ／Ｄ変換器２０４は、アナログ信号処理部２０３から出力されたアナログの画像信号をデジタルの画像信号に変換する。
【００６９】
静止画又は動画の撮像時にイメージセンサ２０１、アナログ信号処理部２０３、及びＡ／Ｄ変換器２０４を介して出力されるＲＧＢの画素毎の画像データ（モザイク画像データ）は、画像入力コントローラ２０５からＲＡＭ２０７に入力され、一時的に記憶される。尚、イメージセンサ２０１がＣＭＯＳ型イメージセンサである場合、アナログ信号処理部２０３及びＡ／Ｄ変換器２０４は、イメージセンサ２０１内に内蔵されていることが多い。
【００７０】
デジタル信号処理部２０６は、ＲＡＭ２０７に格納されている画像データに対して、各種のデジタル信号処理を施す。デジタル信号処理部２０６は、ＲＡＭ２０７に記憶されている画像データを適宜読み出し、読み出した画像データに対してオフセット処理、感度補正を含むゲイン・コントロール処理、ガンマ補正処理、デモザイク処理（デモザイキング処理、同時化処理とも言う）、ＲＧＢ／ＹＣｒＣｂ変換処理等のデジタル信号処理を行い、デジタル信号処理後の画像データを再びＲＡＭ２０７に記憶させる。尚、デモザイク処理とは、例えば、ＲＧＢ３色のカラーフィルタからなるイメージセンサの場合、ＲＧＢからなるモザイク画像から画素毎にＲＧＢ全ての色情報を算出する処理であり、モザイクデータ（点順次のＲＧＢデータ）から同時化されたＲＧＢ３面の画像データを生成する。
【００７１】
ＲＧＢ／ＹＣｒＣｂ変換処理は、同時化されたＲＧＢデータを輝度データ（Ｙ）及び色差データ（Ｃｒ、Ｃｂ）に変換する処理である。
【００７２】
圧縮伸張処理部２０８は、静止画又は動画の記録時に、一旦ＲＡＭ２０７に格納された非圧縮の輝度データＹ及び色差データＣｂ，Ｃｒに対して圧縮処理を施す。静止画の場合には、例えばＪＰＥＧ(Joint Photographic coding Experts Group)形式で圧縮し、動画の場合には、例えばＨ．２６４形式で圧縮する。圧縮伸張処理部２０８により圧縮された画像データは、メディア制御部２１０を介してメモリカード２１２に記録される。また、圧縮伸張処理部２０８は、再生モード時にメディア制御部２１０を介してメモリカード２１２から得た圧縮された画像データに対して伸張処理を施し、非圧縮の画像データを生成する。
【００７３】
メディア制御部２１０は、圧縮伸張処理部２０８で圧縮された画像データを、メモリカード２１２に記録する制御を行う。また、メディア制御部２１０は、メモリカード２１２から、圧縮された画像データを読み出す制御を行う。
【００７４】
表示制御部２１４は、ＲＡＭ２０７に格納されている非圧縮の画像データを、液晶モニタ２１６に表示させる制御を行う。液晶モニタ２１６は、液晶表示デバイスにより構成されているが、液晶モニタ２１６の代わりに有機エレクトロルミネッセンスなどの表示デバイスによって構成してもよい。
【００７５】
液晶モニタ２１６にライブビュー画像を表示させる場合には、デジタル信号処理部２０６で連続的に生成されたデジタルの画像信号が、ＲＡＭ２０７に一時的に記憶される。表示制御部２１４は、このＲＡＭ２０７に一時記憶されたデジタルの画像信号を表示用の信号形式に変換して、液晶モニタ２１６に順次出力する。これにより、液晶モニタ２１６に撮像画像がリアルタイムに表示され、液晶モニタ２１６を電子ビューファインダとして使用することができる。
【００７６】
シャッタレリーズスイッチ２２は、静止画や動画の撮像指示を入力するための撮像指示部であり、いわゆる「半押し」と「全押し」とからなる２段ストローク式のスイッチで構成されている。
【００７７】
静止画撮像モードの場合、シャッタレリーズスイッチ２２が半押しされることによってＳ１オンの信号、半押しから更に押し込む全押しがされることによってＳ２オンの信号が出力され、Ｓ１オン信号が出力されると、本体側ＣＰＵ２２０は、ＡＦ制御（自動焦点調節）及びＡＥ制御（自動露出制御）などの撮影準備処理を実行し、Ｓ２オン信号が出力されると、静止画の撮像処理及び記録処理を実行する。
【００７８】
尚、ＡＦ制御及びＡＥ制御は、それぞれ操作部２２２によりオートモードが設定されている場合に自動的に行われ、マニュアルモードが設定されている場合には、ＡＦ制御及びＡＥ制御が行われないことは言うまでもない。
【００７９】
また、動画撮像モードの場合、シャッタレリーズスイッチ２２が全押しされることによってＳ２オンの信号が出力されると、カメラ本体２００は、動画の記録を開始する動画記録モードになり、動画の画像処理及び記録処理を実行し、その後、シャッタレリーズスイッチ２２が再び全押しされることによってＳ２オンの信号が出力されると、カメラ本体２００は、スタンバイ状態になり、動画の記録処理を一時停止する。
【００８０】
尚、シャッタレリーズスイッチ２２は半押しと全押しとからなる２段ストローク式のスイッチの形態に限られず、1回の操作でＳ１オンの信号及びＳ２オンの信号を出力しても良く、それぞれ個別のスイッチを設けてＳ１オンの信号又はＳ２オンの信号を出力しても良い。
【００８１】
また、タッチ式パネル等により操作指示を行う形態では、これら操作手段としてタッチ式パネルの画面に表示される操作指示に対応する領域をタッチすることで操作指示を出力するようにしても良く、撮影準備処理や撮像処理を指示するものであれば操作手段の形態はこれらに限られない。
【００８２】
撮像により取得された静止画又は動画は、圧縮伸張処理部２０８により圧縮され、圧縮された画像データは、撮像日時、ＧＰＳ情報、撮像条件（Ｆ値、シャッタスピード、ＩＳＯ感度等）の所要の付属情報が、ヘッダに付加された画像ファイルとされた後、メディア制御部２１０を介してメモリカード２１２に格納される。
【００８３】
本体側ＣＰＵ２２０は、カメラ本体２００全体の動作及び交換レンズ１００の光学部材の駆動等を統括制御するもので、シャッタレリーズスイッチ２２を含む操作部２２２等からの入力に基づき、カメラ本体２００の各部及び交換レンズ１００を制御する。
【００８４】
時計部２２４は、タイマとして、本体側ＣＰＵ２２０からの指令に基づいて時間を計測する。また、時計部２２４は、カレンダとして、現在の年月日及び時刻を計測する。
【００８５】
フラッシュＲＯＭ２２６は、読み取り及び書き込みが可能な不揮発性メモリであり、設定情報を記憶する。
【００８６】
ＲＯＭ２２８には、本体側ＣＰＵ２２０が実行するカメラ制御プログラム、本発明に係るフォーカスブラケット撮像モードでの撮像を実行させるフォーカスブラケット撮像用のプログラム、イメージセンサ２０１の欠陥情報、画像処理等に使用する各種のパラメータやテーブルが記憶されている。本体側ＣＰＵ２２０は、ＲＯＭ２２８に格納されたカメラ制御プログラム、あるいはフォーカスブラケット撮像用のプログラムにしたがい、ＲＡＭ２０７を作業領域としながらカメラ本体２００の各部、及び交換レンズ１００を制御する。
【００８７】
自動焦点調節部として機能するＡＦ制御部２３０は、位相差ＡＦの制御に必要なデフォーカス量を算出し、算出したデフォーカス量に基づいて、フォーカスレンズが移動すべき位置（合焦位置）指令を、本体側ＣＰＵ２２０及び本体側通信部２５０を介して交換レンズ１００に通知する。
【００８８】
ここで、ＡＦ制御部２３０は、位相差検出部とデフォーカス量算出部とを含む。位相差検出部は、イメージセンサ２０１のＡＦ領域内の第１の位相差画素ＰＡからなる第１の位相差画素群及び第２の位相差画素ＰＢからなる第２の位相差画素群からそれぞれ画素データ（第１の画素値及び第２の画素値）を取得し、これらの第１の画素値及び第２の画素値に基づいて位相差を検出する。この位相差は、第１の位相差画素ＰＡの複数の第１の画素値と第２の位相差画素ＰＢの複数の第２の画素値の相関が最大になるとき（複数の第１の画素値と複数の第２の画素値の差分絶対値の積算値が最小になるとき）の第１の画素値と第２の画素値との間の瞳分割方向のシフト量から算出することができる。
【００８９】
デフォーカス量算出部は、位相差検出部により検出された位相差と、交換レンズ１００の現在のＦ値（光線角度）に対応する係数とを乗算することによりデフォーカス量を算出する。
【００９０】
また、合焦位置検出部として機能するＡＦ制御部２３０は、ＡＦ領域に限らず、イメージセンサ２０１の全撮像領域内の局所領域（所望の被写体が存在する領域）のデフォーカス量を算出することができる。即ち、図６に示したようにイメージセンサ２０１の撮像領域の全域にわたって配置された位相差画素行の第１の位相差画素ＰＡからなる第１の位相差画素群及び第２の位相差画素ＰＢからなる第２の位相差画素群の第１の画素値及び第２の画素値に基づいて、撮像領域内に存在する複数の被写体のそれぞれの合焦位置（フォーカスレンズを各被写体に合焦させるためのフォーカスレンズの移動すべき位置に対応する複数のデフォーカス量）を算出することができる。ＡＦ制御部２３０により算出される複数のデフォーカス量は、後述するフォーカスブラケット撮像に使用される。
【００９１】
ＡＦ制御部２３０により算出されたデフォーカス量に対応するフォーカスレンズの位置指令は、交換レンズ１００に通知され、フォーカスレンズの位置指令を受け付けた交換レンズ１００のレンズ側ＣＰＵ１２０は、フォーカスレンズ制御部１１６を介してフォーカスレンズを移動させ、フォーカスレンズの位置（合焦位置）を制御する。
【００９２】
ＡＥ制御部２３２は、被写体の明るさ（被写体輝度）を検出する部分であり、被写体輝度に対応するＡＥ制御及びＡＷＢ（Auto White Balance）制御に必要な数値（露出値（ＥＶ値（exposure value）））を算出する。ＡＥ制御部２３２は、イメージセンサ２０１を介して取得した画像の輝度、画像の輝度の取得時のシャッタスピード及びＦ値によりＥＶ値を算出する。
【００９３】
本体側ＣＰＵ２２０は、ＡＥ制御部２３２から得たＥＶ値に基づいて所定のプログラム線図からＦ値、シャッタスピード及びＩＳＯ感度を決定し、ＡＥ制御を行うことができる。
【００９４】
ホワイトバランス補正部２３４は、ＲＧＢデータ（Ｒデータ、Ｇデータ及びＢデータ）の色データ毎のホワイトバランスゲイン（ＷＢ（White Balance）ゲイン)Ｇr,Ｇg,Ｇbを算出し、Ｒデータ、Ｇデータ及びＢデータに、それぞれ算出したＷＢゲインＧr,Ｇg,Ｇbを乗算することによりホワイトバランス補正を行う。ここで、ＷＢゲインＧr,Ｇg,Ｇbの算出方法としては、被写体の明るさ（ＥＶ値）によるシーン認識（屋外、屋内の判定等）及び周囲光の色温度等に基づいて被写体を照明している光源種を特定し、予め光源種毎に適切なＷＢゲインが記憶されている記憶部から特定した光源種に対応するＷＢゲインを読み出す方法が考えられるが、少なくともＥＶ値を使用してＷＢゲインＧr,Ｇg,Ｇbを求める他の公知の方法が考えられる。
【００９５】
無線通信部２３６は、Wi-Fi（Wireless Fidelity）（登録商標）、Bluetooth（登録商標）等の規格の近距離無線通信を行う部分であり、周辺のデジタル機器（スマートフォン、等の携帯端末）との間で必要な情報の送受信を行う。
【００９６】
ＧＰＳ受信部２３８は、本体側ＣＰＵ２２０の指示にしたがって、複数のＧＰＳ衛星から送信されるＧＰＳ信号を受信し、受信した複数のＧＰＳ信号に基づく測位演算処理を実行し、カメラ本体２００の緯度、経度、及び高度からなるＧＰＳ情報を取得する。取得されたＧＰＳ情報は、撮像された画像の撮像位置を示す付属情報として画像ファイルのヘッダに記録することができる。
【００９７】
電源制御部２４０は、本体側ＣＰＵ２２０の指令にしたがって、バッテリ２４２から供給される電源電圧をカメラ本体２００の各部に与える。また、電源制御部２４０は、本体側ＣＰＵ２２０の指令にしたがって、本体マウント２６０及びレンズマウント１６０を介して、バッテリ２４２から供給される電源電圧を交換レンズ１００の各部に与える。
【００９８】
レンズ電源スイッチ２４４は、本体側ＣＰＵ２２０の指令にしたがって、本体マウント２６０及びレンズマウント１６０を介して交換レンズ１００に与える電源電圧のオン及びオフの切り替えとレベルの切り替えを行う。
【００９９】
本体側通信部２５０は、本体側ＣＰＵ２２０の指令にしたがって、本体マウント２６０及びレンズマウント１６０を介して接続された交換レンズ１００のレンズ側通信部１５０との間で、リクエスト信号、回答信号の送受信（双方向通信）を行う。尚、本体マウント２６０には、図１に示すように複数の端子２６０Ａが設けられており、交換レンズ１００がカメラ本体２００に装着（レンズマウント１６０と本体マウント２６０とが接続）されると、本体マウント２６０に設けられた複数の端子２６０Ａ（図１）と、レンズマウント１６０に設けられた複数の端子（図示せず）とが電気的に接続され、本体側通信部２５０とレンズ側通信部１５０との間で双方向通信が可能になる。
【０１００】
内蔵フラッシュ３０（図１）は、例えば、ＴＴＬ（Through The Lens)自動調光方式のフラッシュであり、フラッシュ発光部２７０と、フラッシュ制御部２７２とから構成されている。
【０１０１】
フラッシュ制御部２７２は、フラッシュ発光部２７０から発光するフラッシュ光の発光量（ガイドナンバー）を調整する機能を有する。即ち、フラッシュ制御部２７２は、本体側ＣＰＵ２２０からのフラッシュ撮像指示に同期してフラッシュ発光部２７０を発光させ、交換レンズ１００又は１００の撮像光学系１０２又は１０２を介して入射する反射光（周囲光を含む）の測光を開始し、測光値が標準露出値に達すると、フラッシュ発光部２７０からのフラッシュ光の発光を停止させる。
【０１０２】
フォーカルプレーンシャッタ（ＦＰＳ：focal-plane shutter)２８０は、撮像装置１０のメカシャッタを構成し、イメージセンサ２０１の直前に配置される。ＦＰＳ制御部２９６は、本体側ＣＰＵ２２０からの入力情報（Ｓ２オン信号、シャッタスピード等）に基づいてＦＰＳ２８０の先幕、後幕の開閉を制御し、イメージセンサ２０１における露光時間（シャッタスピード）を制御する。
【０１０３】
［フォーカスブラケット撮像を行う場合の撮像装置の制御］
次に、フォーカスブラケット撮像を行う場合の撮像装置１０の制御について説明する。
【０１０４】
＜第１の実施形態＞
図７は、フォーカスブラケット撮像を実行する本体側ＣＰＵ２２０の実施形態を示す機能ブロック図であり、特にフォーカスブラケット撮像の際に機能する部分に関して示している。
【０１０５】
本発明に係るフォーカスブラケット撮像は、複数の被写体に順次焦点を合わせて動画を撮像するもので、特に複数の被写体のうちの一の被写体の合焦位置にフォーカスレンズを移動させ、一の被写体に対するＡＦ制御を一定時間継続させる合焦制御を、複数の被写体に付された順位（ＡＦ制御（焦点調節）の順位）にしたがって最初の順位の被写体から最後の順位の被写体まで繰り返し実行させながら動画を撮像するものである。
【０１０６】
このフォーカスブラケット撮像を行う場合、主として本体側ＣＰＵ２２０が、フォーカスブラケット撮像用の制御を統括制御するとともに、被写体特定部２２０Ａ及び順位付け部２２０Ｃとして機能する。
【０１０７】
ユーザは、フォーカスブラケット撮像を行う場合、操作部２２２を操作してフォーカスブラケット撮像モードの設定を行う。例えば、操作部２２２を操作し、メニュー画面を液晶モニタ２１６に表示させ、メニュー画面上で「フォーカスブラケット撮像モード」を選択することで、フォーカスブラケット撮像モードを設定することができる。
【０１０８】
また、フォーカスブラケット撮像モードが設定されると、１つの被写体に対するＡＦ制御を継続させる一定時間（合焦時間）を受け付けるメニュー画面が液晶モニタ２１６に表示される。ユーザは、このメニュー画面及び操作部２２２の十字キー２８を使用し、オンスクリーン対話方式で任意の「合焦時間」を設定することができる。この場合の液晶モニタ２１６及び操作部２２２は、一の被写体に対する合焦時間を設定する合焦時間設定部として機能する。尚、合焦時間は、通常、数秒程度である。
【０１０９】
また、１つの被写体に対する合焦時間を設定する代わりに、ユーザは、メニュー画面及び操作部２２２の十字キー２８を使用し、オンスクリーン対話方式で動画（フォーカスブラケット撮像される動画）の総撮像時間を設定することができる。この場合の液晶モニタ２１６及び操作部２２２は、動画の総撮像時間を設定する撮像時間設定部として機能する。
【０１１０】
尚、ユーザにより設定された合焦時間又は総撮像時間に限らず、デフォルトで設定された合焦時間又は総撮像時間でもよい。
【０１１１】
続いて、本体側ＣＰＵ２２０は、シャッタレリーズスイッチ２２の操作による撮像指示を受け付けると、以下の処理を行う。
【０１１２】
まず、本体側ＣＰＵ２２０は、撮像部として機能する交換レンズ１００及びイメージセンサ２０１により被写体像を示す動画を撮像させ、撮像指示入力時における動画又は動画の１フレームを、ＲＡＭ２０７に一時的に記憶させる。
【０１１３】
本体側ＣＰＵ２２０の被写体特定部２２０Ａは、ＲＡＭ２０７に一時的に記憶された画像（動画又は動画の１フレーム）内の被写体（複数の被写体）を特定する。本例の被写体特定部２２０Ａは、被写体検出部２２０Ｂを含み、被写体検出部２２０Ｂが、ＲＡＭ２０７に一時的に記憶された画像を解析し、画像内の被写体（複数の被写体）を検出する。
【０１１４】
被写体特定部２２０Ａは、上記のように被写体検出部２２０Ｂにより検出された複数の被写体をフォーカスブラケット撮像の対象となる被写体として特定する。または、被写体特定部２２０Ａは、被写体検出部２２０Ｂにより検出された複数の被写体のうち、焦点調節を行う任意の被写体を、ユーザが操作部２２２を操作することで指定し、又は新たに追加することでフォーカスブラケット撮像の対象となる被写体として特定してもよい。あるいは被写体特定部２２０Ａは、被写体検出部２２０Ｂを使用せずに、ユーザが操作部２２２により指定した任意の被写体を、フォーカスブラケット撮像の対象となる被写体として特定してもよい。
【０１１５】
被写体検出部２２０Ｂは、フォーカスブラケット撮像の対象となる被写体と、その被写体の撮像領域内の位置等を検出する。被写体検出部２２０Ｂにおける被写体の検出方法としては、被写体が人物の場合には人物の顔認識を行う技術や、特定の特徴を有する被写体の特徴量を抽出することで特定の被写体を検出する方法、又は動体を被写体とする場合には、動体を検出する動体検出方法がある。
【０１１６】
また、事前にユーザが操作部２２２により何の被写体（例えば、人体、顔、動体など）を自動で検出するかを指定し、被写体検出部２２０Ｂは、ユーザにより指定された被写体を検出するようにしてもよい。
【０１１７】
更に、被写体検出部２２０Ｂは、ＡＦ制御を一定時間継続させる被写体と、一定時間継続させない被写体とを区別するようにしてもよい。例えば、被写体のサイズや速度等に応じて、又はユーザにより指定された被写体か否かにより、ＡＦ制御を一定時間継続させる被写体と一定時間継続させない被写体とを区別することができる。そして、一定時間継続させない被写体もＡＦ制御の対象とし、フォーカスブラケット撮像を行うことができる。
【０１１８】
ここで、フォーカスブラケット撮像の対象となる複数の被写体としては、例えば、徒競走や競泳中の選手（人物）、競馬中の馬又は騎手、カーレース中の自動車などが考えられるが、これに限定されるものではない。
【０１１９】
被写体検出部２２０Ｂは、フォーカスブラケット撮像中も被写体を検出することで、特定された各被写体をそれぞれ追尾することが可能である。
【０１２０】
また、被写体検出部２２０Ｂにより検出された複数の被写体のうち、焦点調節を行う任意の被写体を、ユーザが操作部２２２を操作することで指定し、これによりフォーカスブラケット撮像の対象となる被写体を特定するようにしてもよい。この場合、被写体特定部２２０Ａは、操作部２２２により指定された各被写体を、フォーカスブラケット撮像する複数の被写体として特定することになる。
【０１２１】
ユーザが操作部２２２を操作し、フォーカスブラケット撮像を行う被写体を特定することで、ユーザが意図した複数の被写体に対するフォーカスブラケット撮像が可能になる。
【０１２２】
順位付け部２２０Ｃは、被写体特定部２２０Ａにより特定された複数の被写体の、合焦制御（焦点調節）の順位を付ける。
【０１２３】
順位付け部２２０Ｃは、被写体特定部２２０Ａにより特定された複数の被写体のそれぞれの動画中での大きさに基づいて各被写体の順位を付けることができ、例えば、複数の被写体のうち動画中で大きい被写体ほど、その被写体に対するフォーカスブラケット撮像される順位を早く（又は遅く）する。
【０１２４】
また、順位付け部２２０Ｃは、動画中での複数の被写体のそれぞれの大きさの代わりに、撮像装置１０から各被写体までの距離又は各被写体の移動速度に基づいて複数の被写体のフォーカスブラケット撮像される順位付けを行うようにしてもよい。例えば、複数の被写体のうち撮像装置１０から被写体までの距離が近いほど、その被写体に対するフォーカスブラケット撮像される順位を早く（又は遅く）し、また、複数の被写体のうち被写体の移動速度が遅いほど、その被写体に対するフォーカスブラケット撮像される順位を早く（又は遅く）する。
【０１２５】
尚、動画中での各被写体の大きさは、被写体検出部２２０Ｂにより検出される撮像領域内の被写体毎の領域（サイズ）から求めることができる。また、撮像装置１０から各被写体までの距離は、ＡＦ制御部２３０により算出されるデフォーカス量とデフォーカス量算出時のフォーカスレンズの位置に基づいて算出することができ、各被写体の移動速度は、各被写体の距離を微分することにより算出することができる。
【０１２６】
フォーカスブラケット撮像される複数の被写体が、被写体特定部２２０Ａにより特定され、特定された複数の被写体のＡＦ制御（焦点調節）の順位が、順位付け部２２０Ｃにより付与されると、本体側ＣＰＵ２２０は、複数の被写体のうちの一の被写体にフォーカスレンズの焦点を合わせる被写体毎のＡＦ制御であって、このＡＦ制御を被写体毎に一定時間継続させる合焦制御を、複数の被写体に付されたＡＦ制御の順位にしたがって、最初の順位の被写体から最後の順位の被写体まで繰り返し実行させる。
【０１２７】
本体側ＣＰＵ２２０は、最初の順位の被写体にフォーカスレンズを合焦させる、フォーカスレンズの位置指令を、ＡＦ制御部２３０により算出されたデフォーカス量（最初の順位の被写体に対するデフォーカス量）により算出し、算出したフォーカスレンズの位置指令を交換レンズ１００に通知する。尚、ＡＦ制御部２３０からフォーカスレンズの位置指令を送出するようにしてもよい。
【０１２８】
フォーカスレンズの位置指令を受け付けた交換レンズ１００のレンズ側ＣＰＵ１２０は、フォーカスレンズ制御部１１６を介してフォーカスレンズを移動させ、フォーカスレンズの位置を制御する。
【０１２９】
本体側ＣＰＵ２２０は、このフォーカスレンズの最初の順位の被写体に対するＡＦ制御を一定時間継続させる（合焦制御を行う）。したがって、最初の順位の被写体が移動する場合には、その被写体の移動に追従してフォーカスレンズの位置も制御される。
【０１３０】
本体側ＣＰＵ２２０は、最初の順位の被写体に対するＡＦ制御が一定時間継続されると（最初の順位の被写体に対する合焦制御が終了すると）、２番目の順位の被写体に対する合焦制御を実行し、この合焦制御を最後の順位の被写体まで順次繰り返す。
【０１３１】
図８は、動画の垂直同期信号（Ａ）、ローリングシャッタ方式によるイメージセンサ画素読み出し（Ｂ）、及びフォーカスレンズ位置（Ｃ）を示すタイミングチャートである。
【０１３２】
図８において、Ｍ１は、最初の順位の被写体の位置（動き）を示し、Ｍ２は、２番目の順位の被写体の位置（動き）を示す。
【０１３３】
図８において、本体側ＣＰＵ２２０は、フォーカスブラケット撮像を開始すると、最初の順位の被写体の合焦位置Ｍ１にフォーカスレンズを移動させるＡＦ制御を実行させ、合焦後、一定時間Ｔｃの間、ＡＦ制御を継続させる。
【０１３４】
最初の順位の被写体の合焦位置Ｍ１は、その被写体の光学像が受光するラインの位相差画素の出力により検出することができるため、このラインの読み出しタイミング（図８のイメージセンサ画素読み出し（Ｂ）の点線の四角で示したタイミング）で、フォーカスレンズの位置指令を逐次生成する。そして、フォーカスレンズの位置指令が生成したタイミングで、フォーカスレンズの位置指令を出力し、ＡＦ制御を行う。このように、被写体の光学像が受光するラインの読み出しタイミングでＡＦ制御を行うことで、その被写体に対して最も早いタイミングでＡＦ制御を可能にしている。
【０１３５】
尚、ＡＦ制御部２３０は、上記のようにＡＦ制御を行う一の被写体の光学像が受光するイメージセンサ２０１のラインの読み出しタイミングにおいて、一の被写体の合焦位置にフォーカスレンズを移動させるが、より好ましくはＡＦ制御する一の被写体の光学像が受光するラインの露光開口の中央の読み出しタイミングにおいて、一の被写体の合焦位置にフォーカスレンズを移動させる。これにより、一の被写体の中央（一の被写体の光学像が受光するラインの露光開口の中央）の位置で検出された、一の被写体の合焦位置に基づいて、一の被写体に対するＡＦ制御を行うことができる。
【０１３６】
本体側ＣＰＵ２２０は、最初の順位の被写体に対する合焦制御を一定時間Ｔｃ継続させると、２番目の順位の被写体の合焦位置Ｍ２にフォーカスレンズを移動させるＡＦ制御を実行させ、合焦後、合焦制御を一定時間Ｔｃ継続させ、この合焦制御を最後の順位の被写体まで順次行う。
【０１３７】
そして、上記のようにフォーカスブラケット撮像された動画は、デジタル信号処理部２０６で適宜画像処理された後、メディア制御部２１０によりメモリカード２１２に記録される。
【０１３８】
メモリカード２１２に記録されたフォーカスブラケット撮像された動画は、複数の被写体にそれぞれ合焦した静止画（１つのフレーム）を再生又はプリントするために利用することができ、また、複数の被写体に順次合焦する動画として再生することができる。
【０１３９】
［一定時間］
合焦制御を行う一定時間Ｔｃは、ユーザが合焦時間設定部により設定した合焦時間（一定時間）の他に、ユーザが撮像時間設定部により設定した動画（フォーカスブラケット撮像される動画）の総撮像時間と、被写体検出部２２０Ｂが検出した被写体の個数とに基づいて決定することができる。
【０１４０】
例えば、総撮像時間をＴ、被写体の個数をＮとすると、一定時間Ｔｃは、次式、
［数１］
Ｔｃ＝Ｔ／Ｎにより算出することができる。即ち、動画の総撮像時間Ｔを複数の被写体の個数Ｎで除算した均等時間を、一定時間Ｔｃとすることができる。
【０１４１】
尚、一定時間Ｔｃに比べて各被写体に合焦するまでの時間ΔＴが短い場合、総撮像時間Ｔは大幅に延長しないが、時間ΔＴが無視できない場合には、時間ΔＴを考慮して均等時間を算出してもよい。
【０１４２】
例えば、各被写体に合焦するまでの平均時間をΔＴｃとすると、一定時間Ｔｃは、次式、
［数２］
Ｔｃ＝（Ｔ−ΔＴｃ×Ｎ）／Ｎにより算出することができる。
【０１４３】
また、［数１］式又は［数２］式に示したように、総撮像時間Ｔを各被写体に均等に割り当てた時間を一定時間Ｔｃに代わりに、動画の総撮像時間を、複数の被写体毎に重み付けされた時間配分で被写体毎に割り当てた時間を一定時間としてもよい。
【０１４４】
図９は、被写体毎に重み付けされる時間配分の一例を説明するために用いる図である。
【０１４５】
図９に示すように、総撮像時間ＴをＮ個の各被写体に均等に割り当てた平均時間をＴ／Ｎとすると、最も時間をかけない被写体に割り当てる時間を（２／３）×（Ｔ／Ｎ）とし、最も時間をかける被写体に割り当てる時間を（４／３）×（Ｔ／Ｎ）とし、被写体の個数に応じて、これらの時間（２／３）×（Ｔ／Ｎ）、Ｔ／Ｎ、（４／３）×（Ｔ／Ｎ）を補間して、各被写体に割り当てる時間配分を決定することができる。
【０１４６】
また、上記と同様に被写体の個数Ｎに応じて総撮像時間Ｔを被写体毎に重み付けされた時間配分で割り当てる時間（Ｔｃ［ｍ］）を、次式により算出することができる。
【０１４７】
［数３］
Ｔｃ［ｍ］＝２Ｔ／（３Ｎ２）×（２Ｎ−Ｓ［ｍ］＋０．５）
［数３］式において、Ｓ［ｍ］（ｍ；被写体の個数Ｎのうち時間配分の大きい順位（１〜Ｎ）を示す。また、被写体毎に重み付けして割り当てた時間（Ｔｃ［ｍ］）は、被写体毎に設定した一定時間である。
【０１４８】
図１０は、被写体の個数Ｎ及び時間配分の順位Ｓ［ｍ］に応じた、総撮像時間Ｔを１とした場合の各被写体の時間配分を示す図表であり、各被写体の時間配分は、［数３］式により算出されたものである。
【０１４９】
尚、上記の例は、動画の総撮像時間を複数の被写体毎に重み付けされた時間配分で被写体毎に割り当てた時間（一定時間）の一例に過ぎず、被写体毎に重み付けして割り当てる時間配分の方法は、上記の例に限定されない。
【０１５０】
また、被写体毎に重み付けして割り当てられる一定時間であって、時間配分の大きい順位は、複数の被写体の各被写体の動画中での大きさ、撮像装置１０から各被写体までの距離、及び各被写体の移動速度のうちの少なくとも一つにより決定することができる。
【０１５１】
即ち、動画の総撮像時間を、複数の被写体毎に重み付けされた時間配分で割り当てる際に、動画中での各被写体の大きさに応じて、被写体が大きい程、その被写体に割り当てる時間（合焦制御の時間）を長く又は短くすることができ、同様に撮像装置１０から各被写体までの距離、あるいは各被写体の移動速度に応じて、各被写体に割り当てる時間を調整することが可能である。
【０１５２】
［フォーカスブラケット撮像する場合の液晶モニタの表示］
フォーカスブラケット撮像する場合．表示制御部２１４は、撮像部として機能する交換レンズ１００及びイメージセンサ２０１により撮像される動画（ライブビュー画像を含む）を、表示部として機能する液晶モニタ２１６に表示させる。
【０１５３】
また、通知部として機能する表示制御部２１４は、本体側ＣＰＵ２２０の被写体検出部２２０Ｂにより検出された動画中の複数の被写体と、順位付け部２２０Ｃにより順位付けられた複数の被写体のフォーカスブラケット撮像する順位とを関連付けて液晶モニタ２１６に表示させる。
【０１５４】
例えば、表示制御部２１４は、液晶モニタ２１６に表示される各被写体に隣接して、各被写体のフォーカスブラケット撮像する順位を示す番号を表示させ、これによりユーザにフォーカスブラケット撮像する複数の被写体を通知するとともに、フォーカスブラケット撮像する順位を通知することができる。
【０１５５】
また、フォーカスブラケット撮像中に動画中での各被写体の大きさ、撮像装置１０から各被写体までの距離、又は各被写体の移動速度が変化し、順位付け部２２０Ｃにより順位付けられる各被写体の順位が変化する場合がある。この場合、既にフォーカスブラケット撮像され、又はフォーカスブラケット撮像中の被写体以外の被写体の間で、例えば、動画中での被写体の大きさの順位が入れ替わると、入れ替わった順位にしたがってフォーカスブラケット撮像を実行することが好ましい。また、フォーカスブラケット撮像する各被写体の順位が入れ替えられた場合には、入れ替えられた段階での最初の被写体から最後の被写体までフォーカスブラケット撮像を実行するようにしてもよい。
【０１５６】
例えば、各被写体の距離の変化に伴ってフォーカスブラケット撮像する被写体の順位を入れ替える場合、各被写体の合焦位置にフォーカスレンズを移動させる際のフォーカスレンズの移動方向を一定方向にすることができる。
【０１５７】
また、表示制御部２１４は、順位付け部２２０Ｃによりフォーカスブラケット撮像する被写体の順位が入れ替えられると、順位が入れ替わった各被写体のフォーカスブラケット撮像する順位を通知する。
【０１５８】
更に、表示制御部２１４は、複数の被写体のうちの一定時間継続してＡＦ制御が行われ、動画の撮像が終了した被写体を通知することが好ましい。例えば、表示制御部２１４は、動画の撮像が終了した被写体と終了していない被写体の順位を示す番号の表示形態を変えることで、両者を識別可能に通知することができる。これにより、ユーザは、合焦制御して動画の撮像が終了した被写体と終了していない被写体とを認識することができる。
【０１５９】
更にまた、撮像装置１０は、被写体検出部２２０Ｂにより検出された複数の被写体からフォーカスブラケット撮像による焦点調節を行う任意の被写体を指定する操作部を備え、被写体特定部２２０Ａは、操作部により指定された各被写体を焦点調節を行う複数の被写体として特定することが好ましい。
【０１６０】
フォーカスブラケット撮像による焦点調節を行う任意の被写体を指定する操作部は、フォーカスブラケット撮像される被写体を含む画像を表示する液晶モニタ２１６と、液晶モニタ２１６に表示された画面上で、任意の被写体を指定する十字キー２８、タッチパネル、又は、その他のポインティングデバイスとにより構成することができる。ユーザは、液晶モニタ２１６に表示された画像を見ながら操作部を操作することでフォーカスブラケット撮像する任意の被写体を指定することができる。
【０１６１】
これにより、例えば、撮像範囲内に被写体となり得る複数の人物が存在する場合、フォーカスブラケット撮像される人物と、フォーカスブラケット撮像されない人物とを振り分けることができる。
【０１６２】
また、被写体特定部２２０Ａは、上記のように操作部によりユーザが指定した各被写体を、フォーカスブラケット撮像する被写体として特定することができる。
【０１６３】
［撮像方法］
＜第１の実施形態＞
図１１は、本発明に係る撮像方法の第１の実施形態を示すフローチャートである。
【０１６４】
図１１において、本体側ＣＰＵ２２０は、フォーカスブラケット撮像モードが設定されると、ユーザによるフォーカスブラケット撮像の総撮像時間Ｔの設定を受け付ける（ステップＳ１０）。尚、総撮像時間Ｔは、デフォルトで設定された時間でもよい。
【０１６５】
その後、シャッタレリーズスイッチ２２の操作による撮像指示を受け付けると、本体側ＣＰＵ２２０は、撮像部として機能する交換レンズ１００及びイメージセンサ２０１により被写体像を示す動画を撮像させ、被写体特定部２２０Ａは、撮像指示入力時における動画又は動画の１フレームに基づいて画像内の被写体（複数個Ｎの被写体）を特定する（ステップＳ１２）。
【０１６６】
また、ステップＳ１２では、順位付け部２２０Ｃにより複数個Ｎの被写体の順位付けが行われ、順位を示すパラメータｎを１にセットする。更に、ステップＳ１２では、ステップＳ１０で設定された総撮像時間Ｔと、特定された被写体の個数Ｎとに基づいて前述した［数１］式により一定時間Ｔｃが算出され、一定時間Ｔｃが設定される。
【０１６７】
続いて、本体側ＣＰＵ２２０は、第ｎの被写体に合焦させるべくフォーカスレンズを移動させ（ステップＳ１４）、第ｎの被写体に合焦したか否かを判別する（ステップＳ１６）。フォーカスレンズが第ｎの被写体に合焦していないと判別されると（「No」の場合）、第ｎの被写体への合焦方向にフォーカスレンズの駆動を続け（ステップＳ１８）、フォーカスレンズが第ｎの被写体に合焦したと判別されると（「Yes」の場合）、ステップＳ２０に遷移する。
【０１６８】
ステップＳ２０では、ステップＳ１２で設定した一定時間Ｔｃを計測するタイマｔを０に設定する。
【０１６９】
本体側ＣＰＵ２２０は、第ｎの被写体に対する合焦状態を継続させる合焦制御を行い（ステップＳ２２）、タイマｔが一定時間Ｔｃに達した（ｔ＝Ｔｃ）か否かを判別する（ステップＳ２４）。
【０１７０】
そして、タイマｔが一定時間Ｔｃに達すると（合焦制御が一定時間Ｔｃ継続すると）、第ｎの被写体の順位がＮ番目（最後の順位）か否かを判別し（ステップＳ２６）、第ｎの被写体の順位がＮ番目でないと判別されると（「No」の場合）、順位のパラメータｎを１だけインクリメントし（ステップＳ２８）、ステップＳ１４に遷移させ、ステップＳ１４からステップＳ２６の処理を繰り返す。
【０１７１】
そして、ステップＳ２６において、第ｎの被写体の順位がＮ番目であると判別されると全ての被写体に対するフォーカスブラケット撮像が終了する。
【０１７２】
＜第２の実施形態＞
図１２は、本発明に係る撮像方法の第２の実施形態を示すフローチャートである。尚、図１２において、図１１に示した第１の実施形態と共通するステップには同一のステップ番号を付し、その詳細な説明は省略する。
【０１７３】
図１２に示す第２の実施形態では、まず、図１１に示した第１の実施形態のステップＳ１２の代わりに、ステップＳ１２１、ステップＳ１２２及びステップＳ１２３を有している。
【０１７４】
ステップＳ１２１では、本体側ＣＰＵ２２０の被写体検出部２２０Ｂ（図７）が、撮像指示入力時における動画又は動画の１フレームに基づいて、フォーカスブラケット撮像の対象となる画像内の被写体（複数個Ｎの被写体）を検出する。同時に、被写体検出部２２０Ｂは、Ｎ個の各被写体の撮像領域内の大きさ及び位置を検出する。
【０１７５】
続いて、本体側ＣＰＵ２２０の順位付け部２２０Ｃは、Ｎ個の各被写体の撮像領域内の大きさに基づいて、Ｎ個の各被写体のフォーカスブラケット撮像における合焦制御の順位（Ｓ［ｍ］）を付ける（ステップＳ１２２）。各被写体の順位（Ｓ［ｍ］）は、［数３］式に示したように、Ｎ個の被写体のうちの時間配分の大きい順位を示し、本例では、被写体が大きいほど、その被写体に対するフォーカスブラケット撮像される順位を早くする。即ち、被写体が大きいほど、その被写体に対する順位（Ｓ［ｍ］）を、１〜Ｎの範囲内で小さい値に設定する。また、各被写体に付されるフォーカスブラケット撮像される順位（Ｓ［ｍ］）は、本例では、フォーカスブラケット撮像される動画の総撮像時間Ｔを、各被写体に割り当てる際の重み付けにも使用される。
【０１７６】
本体側ＣＰＵ２２０は、総撮像時間Ｔ及び被写体の順位（Ｓ［ｍ］）に基づいて、前述した［数３］式により、合焦制御を行う被写体毎の時間（Ｔｃ［ｍ］）を求める（ステップＳ１２３）。ここで、被写体毎の時間（Ｔｃ［ｍ］）は、フォーカスブラケット撮像される動画の総撮像時間Ｔを、被写体の順位（Ｓ［ｍ］）に応じて被写体毎に重み付けして時間配分した時間である。［数３］式によれば、被写体が大きいほど（フォーカスブラケット撮像される順位が早いほど）、その被写体に重み付けして割り当てられる合焦制御の時間（Ｔｃ［ｍ］）が長くなる。
【０１７７】
また、図１２に示す第２の実施形態では、図１１に示した第１の実施形態のステップＳ２４の代わりに、ステップＳ２４１を有している。
【０１７８】
ステップＳ２４１では、本体側ＣＰＵ２２０は、第ｎの被写体に対する合焦状態を継続させる合焦制御中の時間（タイマｔ）が、ステップＳ１２３により設定した被写体毎に重み付けされた時間（Ｔｃ［ｍ］）に達した（ｔ＝Ｔｃ［ｍ］）か否かを判別する。
【０１７９】
第２の実施形態によれば、フォーカスブラケット撮像される動画の総撮像時間Ｔを、被写体の大きさにより被写体毎に重み付けして割り当てた時間（Ｔｃ［ｍ］）で、各被写体に対する合焦状態を継続させる合焦制御を行うことができる。
【０１８０】
尚、本例では、被写体が大きいほど、その被写体に対する合焦制御の時間（Ｔｃ［ｍ］）を長くしているが、これとは逆に、被写体が大きいほど、その被写体に重み付けして割り当てられる合焦制御の時間（Ｔｃ［ｍ］）を短くするようにしてもよい。
【０１８１】
また、フォーカスブラケット撮像中に動画中での各被写体の大きさが変化し、順位付け部２２０Ｃにより順位付けられる各被写体の順位が変化する場合がある。この場合、既にフォーカスブラケット撮像され、又はフォーカスブラケット撮像中の被写体以外の被写体の間で、動画中での被写体の大きさの順位が入れ替わると、入れ替わった順位にしたがってフォーカスブラケット撮像を実行し、また、入れ替わった順位に対応する時間（Ｔｃ［ｍ］）にて合焦制御を行うことが好ましい。
【０１８２】
＜第３の実施形態＞
図１３は、本発明に係る撮像方法の第３の実施形態を示すフローチャートである。尚、図１３において、図１２に示した第２の実施形態と共通するステップには同一のステップ番号を付し、その詳細な説明は省略する。
【０１８３】
図１３に示す第３の実施形態では、図１２に示した第２の実施形態のステップＳ１２２の代わりに、ステップＳ１２４を有している。
【０１８４】
ステップＳ１２４では、本体側ＣＰＵ２２０の順位付け部２２０Ｃは、撮像装置１０からＮ個の各被写体までの距離に基づいて、Ｎ個の各被写体のフォーカスブラケット撮像における合焦制御の順位（Ｓ［ｍ］）を付ける。
【０１８５】
本例では、Ｎ個の被写体のうち被写体の距離が近い順に、その被写体に対するフォーカスブラケット撮像される順位（Ｓ［ｍ］）を早くする。
【０１８６】
尚、撮像装置１０からＮ個の被写体の各被写体までの距離は、ＡＦ制御部２３０により算出されるデフォーカス量とデフォーカス量算出時のフォーカスレンズの位置に基づいて算出することができる。また、各被写体の順位（Ｓ［ｍ］）に基づいて前述した［数３］式により、合焦制御を行う被写体毎の時間（Ｔｃ［ｍ］）を設定するステップＳ１２３は、図１２に示した第２の実施形態と同様である。
【０１８７】
第３の実施形態によれば、フォーカスブラケット撮像される動画の総撮像時間Ｔを、撮像装置１０から各被写体までの距離により被写体毎に重み付けして割り当てた時間（Ｔｃ［ｍ］）で、各被写体に対する合焦状態を継続させる合焦制御を行うことができる。
【０１８８】
尚、本例では、被写体が近いほど、その被写体に対する合焦制御の時間（Ｔｃ［ｍ］）を長くしているが、これとは逆に、被写体が近いほど、その被写体に重み付けして割り当てられる合焦制御の時間（Ｔｃ［ｍ］）を短くするようにしてもよい。
【０１８９】
また、フォーカスブラケット撮像中に各被写体の距離が変化し、順位付け部２２０Ｃにより順位付けられる順位が変化する場合がある。この場合、既にフォーカスブラケット撮像され、又はフォーカスブラケット撮像中の被写体以外の被写体の間で、被写体の距離の順位が入れ替わると、入れ替わった順位にしたがってフォーカスブラケット撮像を実行し、また、入れ替わった順位に対応する時間（Ｔｃ［ｍ］）にて合焦制御を行うことが好ましい。
【０１９０】
＜第４の実施形態＞
図１４は、本発明に係る撮像方法の第４の実施形態を示すフローチャートである。尚、図１４において、図１２に示した第２の実施形態と共通するステップには同一のステップ番号を付し、その詳細な説明は省略する。
【０１９１】
図１４に示す第４の実施形態では、図１２に示した第２の実施形態のステップＳ１２２の代わりに、ステップＳ１２５を有している。
【０１９２】
ステップＳ１２５では、本体側ＣＰＵ２２０の順位付け部２２０Ｃは、Ｎ個の各被写体の移動速度に基づいて、Ｎ個の各被写体のフォーカスブラケット撮像における合焦制御の順位（Ｓ［ｍ］）を付ける。
【０１９３】
本例では、Ｎ個の被写体のうち被写体の移動速度が遅いほど、その被写体に対するフォーカスブラケット撮像される順位（Ｓ［ｍ］）を早くする。
【０１９４】
尚、Ｎ個の被写体の各被写体の移動速度は、各被写体の距離を微分することにより算出することができる。また、各被写体の順位（Ｓ［ｍ］）に基づいて前述した［数３］式により、合焦制御を行う被写体毎の時間（Ｔｃ［ｍ］）を設定するステップＳ１２３は、図１２に示した第２の実施形態と同様である。
【０１９５】
第４の実施形態によれば、フォーカスブラケット撮像される動画の総撮像時間Ｔを、各被写体の移動速度により被写体毎に重み付けして割り当てた時間（Ｔｃ［ｍ］）で、各被写体に対する合焦状態を継続させる合焦制御を行うことができる。
【０１９６】
尚、本例では、被写体の移動速度が遅いほど、その被写体に対する合焦制御の時間（Ｔｃ［ｍ］）を長くしているが、これとは逆に、被写体の移動速度が遅いほど、その被写体に重み付けして割り当てられる合焦制御の時間（Ｔｃ［ｍ］）を短くするようにしてもよい。
【０１９７】
また、フォーカスブラケット撮像中に各被写体の移動速度が変化し、順位付け部２２０Ｃにより順位付けられる順位が変化する場合がある。この場合、既にフォーカスブラケット撮像され、又はフォーカスブラケット撮像中の被写体以外の被写体の間で、被写体の移動速度の順位が入れ替わると、入れ替わった順位にしたがってフォーカスブラケット撮像を実行し、また、入れ替わった順位に対応する時間（Ｔｃ［ｍ］）にて合焦制御を行うことが好ましい。
【０１９８】
［ＡＦ制御の他の実施形態］
図１５は、動画の垂直同期信号（Ａ）、ローリングシャッタ方式によるイメージセンサ画素読み出し（Ｂ）、及びフォーカスレンズ位置（Ｃ）を示すタイミングチャートである。尚、図１５において、Ｍ１は、最初の順位の被写体の位置（動き）を示している。
【０１９９】
図１５に示すようにイメージセンサ画素読み出し（Ｂ）は、破線で示す第１のタイミングでイメージセンサ２０１の第１の位相差画素ＰＡ及び第２の位相差画素ＰＢから位相差情報を読み出し、第１のタイミングよりも遅い実線で示す第２のタイミングで第１の位相差画素ＰＡ及び第２の位相差画素ＰＢ以外の画素（通常画素）から動画を構成する１フレームの画像を読み出す。
【０２００】
第１の位相差画素ＰＡ及び第２の位相差画素ＰＢからの位相差情報の読み出しは、間引き読み出しが可能であるため、通常画素の読み出しよりも速くすることができ、また、第１の位相差画素ＰＡ及び第２の位相差画素ＰＢからの位相差情報の読み出し期間中も通常画素では、第１の位相差画素ＰＡ及び第２の位相差画素ＰＢからの位相差情報の読み出しに関わらず、第１の位相差画素ＰＡ及び第２の位相差画素ＰＢ入射する光量に応じた電荷を継続して蓄積することが可能である。
【０２０１】
図１５において、本体側ＣＰＵ２２０は、フォーカスブラケット撮像を開始すると、最初の順位の被写体の合焦位置Ｍ１にフォーカスレンズを移動させるＡＦ制御を実行させ、合焦後、一定時間Ｔｃの間、ＡＦ制御を継続させる。
【０２０２】
即ち、本体側ＣＰＵ２２０は、通常画素の画像情報を読み出す第２のタイミングよりも速いタイミングである第１のタイミングで読み出した、第１の位相差画素ＰＡ及び第２の位相差画素ＰＢの位相差情報であって、最初の順位の被写体の光学像が受光するラインの位相差画素の位相差情報に基づいてフォーカスレンズを移動させるＡＦ制御を実行させる。
【０２０３】
このＡＦ制御により、フォーカスレンズ位置（Ｃ）は、点線で示すように最初の順位の被写体の合焦位置（実線で示した合焦位置）に追従するように制御される。これにより、イメージセンサ２０１の通常画像を読み出す第２の読み出しタイミングであって、最初の被写体の光学像が受光するラインの読み出しタイミング（図１５のイメージセンサ画素読み出し（Ｂ）の点線の四角で示したタイミング）では、最初の順位の被写体の合焦位置とフォーカスレンズ位置とを略一致させることができる。
【０２０４】
また、本体側ＣＰＵ２２０は、ある被写体の合焦制御中に、その被写体の光学像が受光するラインの位相差画素の位相差情報を逐次検出し、被写体の移動速度（被写体の合焦位置Ｍ１の変化）を予測し、第１のタイミングで読み出した位相差情報と予測した移動体の移動速度とに基づいて、フォーカスレンズ位置が被写体の合焦位置（実線で示した合焦位置）に追従するように制御することが好ましい。
【０２０５】
本実施形態の撮像装置１０は、ミラーレスのデジタル一眼カメラであるが、これに限らず、一眼レフカメラ、レンズ一体型の撮像装置、デジタルビデオカメラ等でもよく、また、撮像機能に加えて撮像以外の他の機能（通話機能、通信機能、その他のコンピュータ機能）を備えるモバイル機器に対しても適用可能である。本発明を適用可能な他の態様としては、例えば、カメラ機能を有する携帯電話機やスマートフォン、ＰＤＡ（Personal Digital Assistants）、携帯型ゲーム機が挙げられる。以下、本発明を適用可能なスマートフォンの一例について説明する。
【０２０６】
＜スマートフォンの構成＞
図１６は、本発明の撮影装置の一実施形態であるスマートフォン５００の外観を示すものである。図１６に示すスマートフォン５００は、平板状の筐体５０２を有し、筐体５０２の一方の面に表示部としての表示パネル５２１と、入力部としての操作パネル５２２とが一体となった表示入力部５２０を備えている。また、係る筐体５０２は、スピーカ５３１と、マイクロホン５３２、操作部５４０と、カメラ部５４１とを備えている。尚、筐体５０２の構成はこれに限定されず、例えば、表示部と入力部とが独立した構成を採用したり、折り畳み構造やスライド機構を有する構成を採用することもできる。
【０２０７】
図１７は、図１６に示すスマートフォン５００の構成を示すブロック図である。図１７に示すように、スマートフォンの主たる構成要素として、基地局と移動通信網とを介した移動無線通信を行う無線通信部５１０と、表示入力部５２０と、通話部５３０と、操作部５４０と、カメラ部５４１と、記録部５５０と、外部入出力部５６０と、ＧＰＳ（Global Positioning System）受信部５７０と、モーションセンサ部５８０と、電源部５９０と、主制御部５０１とを備える。
【０２０８】
無線通信部５１０は、主制御部５０１の指示にしたがって、移動通信網に収容された基地局に対し無線通信を行うものである。この無線通信を使用して、音声データ、画像データ等の各種ファイルデータ、電子メールデータなどの送受信、Ｗｅｂデータ及びストリーミングデータなどの受信を行う。
【０２０９】
表示入力部５２０は、主制御部５０１の制御により、画像（静止画像及び動画像）や文字情報などを表示して視覚的にユーザに情報を伝達し、表示した情報に対するユーザ操作を検出する、いわゆるタッチパネルであって、表示パネル５２１と、操作パネル５２２とを備える。
【０２１０】
表示パネル５２１は、ＬＣＤ（Liquid Crystal Display）、ＯＥＬＤ（Organic Electro-Luminescence Display）などを表示デバイスとして用いたものである。操作パネル５２２は、表示パネル５２１の表示面上に表示される画像を視認可能に載置され、ユーザの指や尖筆によって操作される一又は複数の座標を検出するデバイスである。かかるデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０２１１】
図１６に示すように、本発明の撮影装置の一実施形態として例示しているスマートフォン５００の表示パネル５２１と操作パネル５２２とは一体となって表示入力部５２０を構成しているが、操作パネル５２２が表示パネル５２１を完全に覆うような配置となっている。かかる配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０２１２】
尚、表示領域の大きさと表示パネル５２１の大きさとを完全に一致させても良いが、両者を必ずしも一致させる必要は無い。また、操作パネル５２２が、外縁部分と、それ以外の内側部分の２つの感応領域を備えていてもよい。さらに、外縁部分の幅は、筐体５０２の大きさなどに応じて適宜設計されるものである。また、操作パネル５２２で採用される位置検出方式としては、マトリクススイッチ方式、抵抗膜方式、表面弾性波方式、赤外線式、電磁誘導方式、静電容量方式などが挙げられ、いずれの方式を採用することもできる。
【０２１３】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力するものである。また、図１６に示すように、例えば、スピーカ５３１、マイクロホン５３２を表示入力部５２０が設けられた面と同じ面に搭載することができる。
【０２１４】
操作部５４０は、キースイッチなどを用いたハードウェアキーであって、ユーザからの指示を受け付けるものである。例えば、図１６に示すように、操作部５４０は、スマートフォン５００の筐体５０２の側面に搭載され、指などで押下されるとオンとなり、指を離すとバネなどの復元力によってオフ状態となる押しボタン式のスイッチである。
【０２１５】
記録部５５０は、主制御部５０１の制御プログラム、制御データ、アプリケーションソフトウェア（本発明に係る撮像方法を実現するプログラムを含む）、通信相手の名称及び電話番号などを対応づけたアドレスデータ、送受信した電子メールのデータ、ＷｅｂブラウジングによりダウンロードしたＷｅｂデータ、及びダウンロードしたコンテンツデータを記憶し、またストリーミングデータなどを一時的に記憶するものである。また、記録部５５０は、スマートフォン内蔵の内部記憶部５５１と着脱自在な外部メモリスロットを有する外部記憶部５６２により構成される。尚、記録部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの記録媒体を用いて実現される。
【０２１６】
外部入出力部５６０は、スマートフォン５００に連結される全ての外部機器とのインターフェースの役割を果たすものであり、他の外部機器に通信等（例えば、ユニバーサルシリアルバス（ＵＳＢ）、及びＩＥＥＥ１３９４など）又はネットワーク（例えば、インターネット、無線ＬＡＮ（Local Area Network）、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【０２１７】
スマートフォン５００に連結される外部機器としては、例えば、有／無線ヘッドセット、有／無線外部充電器、有／無線データポート、カードソケットを介して接続されるメモリカード（Memory card）、ＳＩＭ（Subscriber Identity Module Card）／ＵＩＭ（User Identity Module Card）カード、又はオーディオ・ビデオＩ／Ｏ（Input/Output）端子を介して接続される外部オーディオビデオ機器、無線接続される外部オーディオビデオ機器、有／無線接続されるスマートフォン、有／無線接続されるパーソナルコンピュータ、有／無線接続されるＰＤＡ、及びイヤホンなどがある。外部入出力部は、このような外部機器から伝送を受けたデータをスマートフォン５００の内部の各構成要素に伝達し、又はスマートフォン５００の内部のデータを外部機器に伝送することが可能である。
【０２１８】
ＧＰＳ受信部５７０は、主制御部５０１の指示にしたがって、ＧＰＳ衛星ＳＴ１〜ＳＴｎから送信されるＧＰＳ信号を受信し、受信した複数のＧＰＳ信号に基づく測位演算処理を実行し、スマートフォン５００の緯度、経度、及び高度からなる位置を検出する。ＧＰＳ受信部５７０は、無線通信部５１０や外部入出力部５６０（例えば、無線ＬＡＮ）から位置情報を取得できる時には、その位置情報を用いて位置を検出することもできる。
【０２１９】
モーションセンサ部５８０は、例えば、３軸の加速度センサ及びジャイロセンサなどを備え、主制御部５０１の指示にしたがって、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０２２０】
電源部５９０は、主制御部５０１の指示にしたがって、スマートフォン５００の各部に、バッテリ（図示しない）に蓄えられる電力を供給するものである。
【０２２１】
主制御部５０１は、マイクロプロセッサを備え、記録部５５０が記憶する制御プログラム及び制御データにしたがって動作し、スマートフォン５００の各部を統括して制御するものである。また、主制御部５０１は、無線通信部５１０を通じて、音声通信やデータ通信を行うために、通信系の各部を制御する移動通信制御機能及びアプリケーション処理機能を備える。
【０２２２】
アプリケーション処理機能は、記録部５５０が記憶するアプリケーションソフトウェアにしたがって主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Ｗｅｂページを閲覧するＷｅｂブラウジング機能、本発明に係るフォーカスブラケット撮像する機能などがある。
【０２２３】
また、主制御部５０１は、受信データやダウンロードしたストリーミングデータなどの画像データ（静止画像や動画像のデータ）に基づいて、映像を表示入力部５２０に表示する等の画像処理機能を備える。画像処理機能とは、主制御部５０１が、上記画像データを復号し、係る復号結果に画像処理を施して、画像を表示入力部５２０に表示する機能のことをいう。
【０２２４】
更に、主制御部５０１は、表示パネル５２１に対する表示制御と、操作部５４０、操作パネル５２２を通じたユーザ操作を検出する操作検出制御を実行する。
【０２２５】
表示制御の実行により、主制御部５０１は、アプリケーションソフトウェアを起動するためのアイコン及びスクロールバーなどのソフトウェアキーを表示したり、或いは電子メールを作成するためのウィンドウを表示する。尚、スクロールバーとは、表示パネル５２１の表示領域に収まりきれない大きな画像などについて、画像の表示部分を移動する指示を受け付けるためのソフトウェアキーのことをいう。
【０２２６】
また、操作検出制御の実行により、主制御部５０１は、操作部５４０を通じたユーザ操作を検出したり、操作パネル５２２を通じてアイコンに対する操作、及びウィンドウの入力欄に対する文字列の入力を受け付け、或いはスクロールバーを通じた表示画像のスクロール要求を受け付ける。
【０２２７】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域及びソフトウェアキーの表示位置を制御するタッチパネル制御機能を備える。
【０２２８】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組合せて、複数の位置から少なくとも１つについて軌跡を描く操作を意味する。
【０２２９】
カメラ部５４１は、ＣＭＯＳ（Complementary Metal Oxide Semiconductor）やＣＣＤ（Charge-Coupled Device）などの撮像素子を用いて電子撮影するデジタルカメラであり、図１に示した撮像装置１０に相当する。また、カメラ部５４１は、主制御部５０１の制御により、撮像によって得た画像データを例えばＪＰＥＧ（Joint Photographic coding Experts Group）などの圧縮した画像データに変換し、記録部５５０に記録したり、外部入出力部５６０や無線通信部５１０を通じて出力することができる。図１６に示すようにスマートフォン５００において、カメラ部５４１は表示入力部５２０と同じ面に搭載されているが、カメラ部５４１の搭載位置はこれに限らず、表示入力部５２０の背面に搭載されてもよいし、或いは、複数のカメラ部５４１が搭載されてもよい。尚、複数のカメラ部５４１が搭載されている場合、撮影に供するカメラ部５４１を切り替えて単独にて撮影したり、或いは、複数のカメラ部５４１を同時に使用して撮影することもできる。
【０２３０】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。さらには、カメラ部５４１からの画像を参照して、３軸の加速度センサを用いずに、或いは、３軸の加速度センサ（ジャイロセンサ）と併用して、スマートフォン５００のカメラ部５４１の光軸方向を判断することや、現在の使用環境を判断することもできる。勿論、カメラ部５４１からの画像をアプリケーションソフトウェア内で利用することもできる。
【０２３１】
その他、静止画又は動画の画像データにＧＰＳ受信部５７０により取得した位置情報、マイクロホン５３２により取得した音声情報（主制御部等により、音声テキスト変換を行ってテキスト情報となっていてもよい）、モーションセンサ部５８０により取得した姿勢情報等などを付加して記録部５５０に記録したり、外部入出力部５６０や無線通信部５１０を通じて出力することもできる。
【０２３２】
［その他］
本実施形態において、例えば、本体側ＣＰＵ２２０、ＡＦ制御部２３０、表示制御部２１４、及びレンズ側ＣＰＵ１２０等の各種の処理を実行する処理部（processing unit）
のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０２３３】
１つの処理部は、これら各種のプロセッサのうちの１つで構成されていてもよいし、同種または異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０２３４】
更に、これらの各種のプロセッサのハードウェア的な構造は、より具体的には、半導体素子などの回路素子を組み合わせた電気回路（circuitry）である。
【０２３５】
また、本実施形態のイメージセンサ２０１は、図４に示したように位相差画素と通常画素とを有するが、これに限らず、全画素を一対の位相差画素のみで構成されたイメージセンサを使用してもよい。この場合、静止画又は動画撮像用の通常画素は、同じ色の一対の位相差画素を加算することで、通常画素の画素データとすることができる。
【０２３６】
更に、本実施形態の自動焦点調節部は、位相差画素を有するイメージセンサを使用し、位相差画像を使用した位相差ＡＦを行うが、これに限らず、例えば、コントラストＡＦを行うものでもよい。コントラストＡＦは、イメージセンサの撮像領域を複数の領域に分割した各分割領域内におけるＧ画素（Ｇのカラーフィルタを有する画素）のＧ信号から高周波成分を抽出し、抽出した高周波成分の絶対値の積算値（コントラストを評価する評価値）を取得し、複数の領域のうちのフォーカスブラケット撮像する被写体が存在する領域（ＡＦ領域）の評価値が最大になるように、フォーカスレンズを移動させることで、所望の被写体に合焦させる。コントラストＡＦの場合、位相差画素を有さないイメージセンサを使用することができる。
【０２３７】
更に本発明は、撮像装置内のコンピュータにインストールされることにより、本発明に係る撮像装置として機能させるプログラム、及びこのプログラムが記録された記録媒体を含む。
【０２３８】
また、本発明は上述した実施形態に限定されず、本発明の精神を逸脱しない範囲で種々の変形が可能であることは言うまでもない。
【符号の説明】
【０２３９】
１０  撮像装置
２０  ファインダ窓
２２  シャッタレリーズスイッチ
２３  シャッタスピードダイヤル
２４  露出補正ダイヤル
２５  電源レバー
２６  接眼部
２７  ＭＥＮＵ／ＯＫキー
２８  十字キー
２９  再生ボタン
３０  内蔵フラッシュ
１００  交換レンズ
１０２  撮像光学系
１０４  レンズ群
１０８  絞り
１１６  フォーカスレンズ制御部
１１８  絞り制御部
１２０  レンズ側ＣＰＵ
１２２  ＲＡＭ
１２４  ＲＯＭ
１２６  フラッシュＲＯＭ
１５０  レンズ側通信部
１６０  レンズマウント
２００  カメラ本体
２０１  イメージセンサ
２０２  イメージセンサ制御部
２０３  アナログ信号処理部
２０４  Ａ／Ｄ変換器
２０５  画像入力コントローラ
２０６  デジタル信号処理部
２０７  ＲＡＭ
２０８  圧縮伸張処理部
２１０  メディア制御部
２１２  メモリカード
２１４  表示制御部
２１６  液晶モニタ
２２０  本体側ＣＰＵ
２２０Ａ  被写体特定部
２２０Ｂ  被写体検出部
２２０Ｃ  順位付け部
２２２  操作部
２２４  時計部
２２６  フラッシュＲＯＭ
２２８  ＲＯＭ
２３０  ＡＦ制御部
２３２  ＡＥ制御部
２３４  ホワイトバランス補正部
２３６  無線通信部
２３８  ＧＰＳ受信部
２４０  電源制御部
２４２  バッテリ
２４４  レンズ電源スイッチ
２５０  本体側通信部
２５１  内部記憶部
２６０  本体マウント
２６０Ａ  端子
２７０  フラッシュ発光部
２７２  フラッシュ制御部
２９６  ＦＰＳ制御部
５００  スマートフォン
５０１  主制御部
５０２  筐体
５１０  無線通信部
５２０  表示入力部
５２１  表示パネル
５２２  操作パネル
５３０  通話部
５３１  スピーカ
５３２  マイクロホン
５４０  操作部
５４１  カメラ部
５５０  記録部
５５１  内部記憶部
５５２  外部記憶部
５６０  外部入出力部
５６２  外部記憶部
５７０  ＧＰＳ受信部
５８０  モーションセンサ部
５９０  電源部
ＰＡ  第１の位相差画素
ＰＢ  第２の位相差画素
Ｓ１０〜Ｓ２８、Ｓ１２１〜Ｓ１２５、Ｓ２４１  ステップＴ  総撮像時間
Ｔｃ  一定時間
【図１】
2019187648.tif 000003
【図２】
2019187648.tif 000004
【図３】
2019187648.tif 000005
【図４】
2019187648.tif 000006
【図５】
2019187648.tif 000007
【図６】
2019187648.tif 000008
【図７】
2019187648.tif 000009
【図８】
2019187648.tif 000010
【図９】
2019187648.tif 000011
【図１０】
2019187648.tif 000012
【図１１】
2019187648.tif 000013
【図１２】
2019187648.tif 000014
【図１３】
2019187648.tif 000015
【図１４】
2019187648.tif 000016
【図１５】
2019187648.tif 000017
【図１６】
2019187648.tif 000018
【図１７】
2019187648.tif 000019
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
複数の被写体に順次焦点を合わせて動画を撮像する撮像装置であって、
フォーカスレンズを含む撮像光学系を通過した光学像を受光し、前記光学像を示す動画を撮像する撮像部と、
前記撮像部により撮像される光学像に含まれる複数の被写体を特定する被写体特定部と、
前記複数の被写体の焦点調節の順位付けを行う順位付け部と、
前記複数の被写体のいずれかに合焦する合焦位置に前記フォーカスレンズを移動させる自動焦点調節を行う自動焦点調節部と、
前記複数の被写体の前記焦点調節の順位にしたがって前記自動焦点調節部による各被写体の自動焦点調節を順次行わせる制御部と、
を備え、
前記制御部は、前記自動焦点調節部を制御し、前記複数の被写体のうちの一の被写体の合焦位置に前記フォーカスレンズを移動させ、前記一の被写体に対する自動焦点調節を一定時間継続させる合焦制御を、前記順位付け部により順位付けられた順に繰り返し実行させるものであって、
前記順位付け部は、前記制御部が前記各被写体の自動焦点調節を順次行わせる間に前記撮像部で撮像された動画中の被写体情報に基づいて前記複数の被写体の焦点調節を行う順位を入れ替える撮像装置。
【請求項２】
複数の被写体に順次焦点を合わせて動画を撮像する撮像装置であって、
フォーカスレンズを含む撮像光学系を通過した光学像を受光し、前記光学像を示す動画を撮像する撮像部と、
前記撮像部により撮像される光学像に含まれる複数の被写体を特定する被写体特定部と、
前記複数の被写体の焦点調節の順位付けを行う順位付け部と、
前記複数の被写体のいずれかに合焦する合焦位置に前記フォーカスレンズを移動させる自動焦点調節を行う自動焦点調節部と、
前記複数の被写体の前記焦点調節の順位にしたがって前記自動焦点調節部による各被写体の自動焦点調節を順次行わせる制御部と、
前記制御部は、前記自動焦点調節部を制御し、前記複数の被写体のうちの一の被写体の合焦位置に前記フォーカスレンズを移動させ、前記一の被写体に対する自動焦点調節を一定時間継続させる合焦制御を、前記順位付け部により順位付けられた順に繰り返し実行させるものであって、
前記順位付け部は、前記複数の被写体の各被写体の前記動画中での大きさに基づいて前記複数の被写体の焦点調節を行う順位付けを行う撮像装置。
【請求項３】
複数の被写体に順次焦点を合わせて動画を撮像する撮像装置であって、
フォーカスレンズを含む撮像光学系を通過した光学像を受光し、前記光学像を示す動画を撮像する撮像部と、
前記撮像部により撮像される光学像に含まれる複数の被写体を特定する被写体特定部と、
前記複数の被写体の焦点調節の順位付けを行う順位付け部と、
前記複数の被写体のいずれかに合焦する合焦位置に前記フォーカスレンズを移動させる自動焦点調節を行う自動焦点調節部と、
前記複数の被写体の前記焦点調節の順位にしたがって前記自動焦点調節部による各被写体の自動焦点調節を順次行わせる制御部と、
前記制御部は、前記自動焦点調節部を制御し、前記複数の被写体のうちの一の被写体の合焦位置に前記フォーカスレンズを移動させ、前記一の被写体に対する自動焦点調節を一定時間継続させる合焦制御を、前記順位付け部により順位付けられた順に繰り返し実行させるものであって、
前記順位付け部は、前記複数の被写体の各被写体の前記動画中での移動速度に基づいて前記複数の被写体の焦点調節を行う順位付けを行う撮像装置。
【請求項４】
一の被写体に対する合焦時間を設定する合焦時間設定部を備え、
前記一定時間は、前記合焦時間設定部により設定された前記合焦時間である請求項１から３のいずれか１項に記載の撮像装置。
【請求項５】
前記動画の総撮像時間を設定する撮像時間設定部を備え、
前記一定時間は、前記撮像時間設定部により設定された前記動画の総撮像時間と前記複数の被写体の個数とに基づいて決定される時間である請求項１から３のいずれか１項に記載の撮像装置。
【請求項６】
前記一定時間は、前記動画の総撮像時間を前記複数の被写体の個数で除算した均等時間である請求項５に記載の撮像装置。
【請求項７】
前記一定時間は、前記動画の総撮像時間を、前記複数の被写体毎に重み付けされた時間配分で被写体毎に割り当てた時間である請求項５に記載の撮像装置。
【請求項８】
前記被写体毎に割り当てられる前記一定時間は、前記動画の総撮像時間と、前記複数の被写体の各被写体の前記動画中での大きさ、前記撮像装置から各被写体までの距離及び各被写体の移動速度のうちの少なくとも一つにより決定される請求項７に記載の撮像装置。
【請求項９】
前記順位付け部は、前記複数の被写体の各被写体の前記動画中での大きさ、前記撮像装置から各被写体までの距離、又は各被写体の移動速度に基づいて前記複数の被写体の焦点調節を行う順位付けを行う請求項１に記載の撮像装置。
【請求項１０】
前記複数の被写体のそれぞれの合焦位置を逐次検出する合焦位置検出部を備え、
前記順位付け部は、前記制御部が前記各被写体の自動焦点調節を順次行わせる間に前記合焦位置検出部で検出した合焦位置を前記被写体情報として用い、前記焦点調節する被写体の順位を入れ替え、一の被写体の合焦位置から次の被写体の合焦位置に前記フォーカスレンズを移動させる際の前記フォーカスレンズの移動方向を一定方向にする請求項１に記載の撮像装置。
【請求項１１】
前記複数の被写体のそれぞれの合焦位置を逐次検出する合焦位置検出部を備え、
前記順位付け部は、前記焦点調節する被写体の順位を入れ替え、一の被写体の合焦位置から次の被写体の合焦位置に前記フォーカスレンズを移動させる際の前期フォーカスレンズの移動方向を一定方向にする請求項２又は３に記載の撮像装置。
【請求項１２】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節を行う順位を前記表示部に表示させる通知部と、
を備えた請求項１から９のいずれか１項に記載の撮像装置。
【請求項１３】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節を行う順位を前記表示部に表示させる通知部と、を備え、
前記通知部は、前記順位付け部により前記焦点調節する被写体の順位が入れ替えられると、前記順位が入れ替わった各被写体の焦点調節を行う順位を通知する請求項１０又は１１に記載の撮像装置。
【請求項１４】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節を行う順位を前記表示部に表示させる通知部と、を備え、
前記通知部は、前記複数の被写体のうちの前記自動焦点調節が行われて動画の撮像が終了した被写体を通知する請求項１から９のいずれか１項に記載の撮像装置。
【請求項１５】
前記被写体特定部は、任意の被写体を指定する操作部により指定された各被写体を前記焦点調節を行う複数の被写体として特定する請求項１から１４のいずれか１項に記載の撮像装置。
【請求項１６】
前記撮像部は、位相差画素を有するイメージセンサを備え、
前記自動焦点調節部は、前記イメージセンサの前記位相差画素の出力に基づいて各被写体の合焦位置を検出し、前記複数の被写体のうちの一の被写体の合焦位置に前記フォーカスレンズを移動させる請求項１から１５のいずれか１項に記載の撮像装置。
【請求項１７】
前記イメージセンサは、前記撮像光学系を通過した光学像の受光による信号電荷の蓄積と読み出しをライン毎に行うセンサであり、
前記自動焦点調節部は、前記自動焦点調節を行う一の被写体の光学像が受光するラインの読み出しタイミングにおいて、前記一の被写体の合焦位置に前記フォーカスレンズを移動させる請求項１６に記載の撮像装置。
【請求項１８】
前記イメージセンサは、前記被写体の光学像の受光による信号電荷の蓄積と読み出しをライン毎に行うセンサであり、
前記自動焦点調節部は、前記自動焦点調節を行う一の被写体の光学像が受光するラインの露光開口の中央の読み出しタイミングにおいて、前記一の被写体の合焦位置に前記フォーカスレンズを移動させる請求項１６に記載の撮像装置。
【請求項１９】
前記撮像部は、位相差画素と動画撮像用の通常画素とを有するイメージセンサを備え、動画の１フレームの第１のタイミングで前記位相差画素から位相差情報を出力し、前記第１のタイミングよりも遅い第２のタイミングで前記通常画素から動画を構成する１フレームの画像を出力し、
前記自動焦点調節部は、前記第１のタイミングで出力された前記位相差情報に基づいて前記第２のタイミングで出力される前記１フレームの画像に対する焦点調節を行う請求項１から１８のいずれか１項に記載の撮像装置。
【請求項２０】
複数の被写体に順次焦点を合わせて動画を撮像する撮像方法であって、
撮像部により撮像される光学像に含まれる複数の被写体を特定するステップと、
前記複数の被写体の焦点調節の順位付けを行うステップと、
制御部が自動焦点調節部を制御し、前記複数の被写体の前記焦点調節を行う順位にしたがって前記自動焦点調節部による各被写体の自動焦点調節を順次行わせるステップと、を含み、
前記制御部が自動焦点調節部を制御するステップは、
前記自動焦点調節部を制御し、前記複数の被写体のうちの一の被写体に対する自動焦点調節を一定時間継続させる合焦制御を、前記順位付けられた順に繰り返し実行させ、
前記各被写体の自動焦点調節を順次行わせるステップにおいて、前記動画中の被写体情報に基づいて前記複数の被写体の焦点調節を行う順位を入れ替える撮像方法。
【請求項２１】
請求項２０に記載の撮像方法を撮像装置内のコンピュータにより実現させるプログラム。
【請求項２２】
請求項２０に記載の撮像方法を撮像装置内のコンピュータにより実現させるプログラムが格納された記録媒体。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
複数の被写体に順次焦点を合わせて動画を撮像する撮像装置であって、
フォーカスレンズを含む撮像光学系を通過した光学像を受光し、前記光学像を示す動画を撮像する撮像部と、
前記撮像部により撮像される光学像に含まれる複数の被写体を特定する被写体特定部と、
前記複数の被写体の焦点調節の順位付けを行う順位付け部と、
前記複数の被写体のいずれかに合焦する合焦位置に前記フォーカスレンズを移動させる自動焦点調節を行う自動焦点調節部と、
前記複数の被写体の前記焦点調節の順位にしたがって前記自動焦点調節部による各被写体の自動焦点調節を順次行わせる制御部と、
を備え、
前記制御部は、前記自動焦点調節部を制御し、前記複数の被写体のうちの一の被写体の合焦位置に前記フォーカスレンズを移動させ、前記一の被写体に対する自動焦点調節を一定時間継続させる合焦制御を、前記順位付け部により順位付けられた順に繰り返し実行させるものであって、
前記順位付け部は、前記複数の被写体の各被写体の前記動画中での大きさに基づいて前記複数の被写体の焦点調節を行う順位付けを行う撮像装置。
【請求項２】
複数の被写体に順次焦点を合わせて動画を撮像する撮像装置であって、
フォーカスレンズを含む撮像光学系を通過した光学像を受光し、前記光学像を示す動画を撮像する撮像部と、
前記撮像部により撮像される光学像に含まれる複数の被写体を特定する被写体特定部と、
前記複数の被写体の焦点調節の順位付けを行う順位付け部と、
前記複数の被写体のいずれかに合焦する合焦位置に前記フォーカスレンズを移動させる自動焦点調節を行う自動焦点調節部と、
前記複数の被写体の前記焦点調節の順位にしたがって前記自動焦点調節部による各被写体の自動焦点調節を順次行わせる制御部と、
を備え、
前記制御部は、前記自動焦点調節部を制御し、前記複数の被写体のうちの一の被写体の合焦位置に前記フォーカスレンズを移動させ、前記一の被写体に対する自動焦点調節を一定時間継続させる合焦制御を、前記順位付け部により順位付けられた順に繰り返し実行させるものであって、
前記順位付け部は、前記複数の被写体の各被写体の前記動画中での移動速度に基づいて前記複数の被写体の焦点調節を行う順位付けを行う撮像装置。
【請求項３】
一の被写体に対する合焦時間を設定する合焦時間設定部を備え、
前記一定時間は、前記合焦時間設定部により設定された前記合焦時間である請求項１又は２に記載の撮像装置。
【請求項４】
前記動画の総撮像時間を設定する撮像時間設定部を備え、
前記一定時間は、前記撮像時間設定部により設定された前記動画の総撮像時間と前記複数の被写体の個数とに基づいて決定される時間である請求項１又は２に記載の撮像装置。
【請求項５】
前記一定時間は、前記動画の総撮像時間を前記複数の被写体の個数で除算した均等時間である請求項４に記載の撮像装置。
【請求項６】
前記一定時間は、前記動画の総撮像時間を、前記複数の被写体毎に重み付けされた時間配分で被写体毎に割り当てた時間である請求項４に記載の撮像装置。
【請求項７】
前記被写体毎に割り当てられる前記一定時間は、前記動画の総撮像時間と、前記複数の被写体の各被写体の前記動画中での大きさ、前記撮像装置から各被写体までの距離及び各被写体の移動速度のうちの少なくとも一つにより決定される請求項６に記載の撮像装置。
【請求項８】
前記複数の被写体のそれぞれの合焦位置を逐次検出する合焦位置検出部を備え、
前記順位付け部は、前記焦点調節する被写体の順位を入れ替え、一の被写体の合焦位置から次の被写体の合焦位置に前記フォーカスレンズを移動させる際の前記フォーカスレンズの移動方向を一定方向にする請求項１から７のいずれか１項に記載の撮像装置。
【請求項９】
前記撮像部により撮像された動画を表示する表示部と、
前記動画中の複数の被写体を検出する被写体検出部と、
前記被写体検出部により検出された前記複数の被写体及び前記順位付け部により順位付けられた前記複数の被写体の焦点調節を行う順位を前記表示部に表示させる通知部と、
を備えた請求項１から８のいずれか１項に記載の撮像装置。
【請求項１０】
前記通知部は、前記順位付け部により前記焦点調節する被写体の順位が入れ替えられると、前記順位が入れ替わった各被写体の焦点調節を行う順位を通知する請求項９に記載の撮像装置。
【請求項１１】
前記通知部は、前記複数の被写体のうちの前記自動焦点調節が行われて動画の撮像が終了した被写体を通知する請求項９に記載の撮像装置。
【請求項１２】
前記被写体特定部は、任意の被写体を指定する操作部により指定された各被写体を前記焦点調節を行う複数の被写体として特定する請求項１から１１のいずれか１項に記載の撮像装置。
【請求項１３】
前記撮像部は、位相差画素を有するイメージセンサを備え、
前記自動焦点調節部は、前記イメージセンサの前記位相差画素の出力に基づいて各被写体の合焦位置を検出し、前記複数の被写体のうちの一の被写体の合焦位置に前記フォーカスレンズを移動させる請求項１から１２のいずれか１項に記載の撮像装置。
【請求項１４】
前記イメージセンサは、前記撮像光学系を通過した光学像の受光による信号電荷の蓄積と読み出しをライン毎に行うセンサであり、
前記自動焦点調節部は、前記自動焦点調節を行う一の被写体の光学像が受光するラインの読み出しタイミングにおいて、前記一の被写体の合焦位置に前記フォーカスレンズを移動させる請求項１３に記載の撮像装置。
【請求項１５】
前記イメージセンサは、前記被写体の光学像の受光による信号電荷の蓄積と読み出しをライン毎に行うセンサであり、
前記自動焦点調節部は、前記自動焦点調節を行う一の被写体の光学像が受光するラインの露光開口の中央の読み出しタイミングにおいて、前記一の被写体の合焦位置に前記フォーカスレンズを移動させる請求項１３に記載の撮像装置。
【請求項１６】
前記撮像部は、位相差画素と動画撮像用の通常画素とを有するイメージセンサを備え、動画の１フレームの第１のタイミングで前記位相差画素から位相差情報を出力し、前記第１のタイミングよりも遅い第２のタイミングで前記通常画素から動画を構成する１フレームの画像を出力し、
前記自動焦点調節部は、前記第１のタイミングで出力された前記位相差情報に基づいて前記第２のタイミングで出力される前記１フレームの画像に対する焦点調節を行う請求項１から１５のいずれか１項に記載の撮像装置。
【請求項１７】
複数の被写体に順次焦点を合わせて動画を撮像する撮像方法であって、
撮像部により撮像される光学像に含まれる複数の被写体を特定するステップと、
前記複数の被写体の焦点調節の順位付けを行うステップと、
制御部が自動焦点調節部を制御し、前記複数の被写体の前記焦点調節を行う順位にしたがって前記自動焦点調節部による各被写体の自動焦点調節を順次行わせるステップと、を含み、
前記制御部が自動焦点調節部を制御するステップは、
前記自動焦点調節部を制御し、前記複数の被写体のうちの一の被写体に対する自動焦点調節を一定時間継続させる合焦制御を、前記順位付けられた順に繰り返し実行させ、
前記複数の被写体の焦点調節の順位付けを行うステップは、前記複数の被写体の各被写体の前記動画中での大きさに基づいて前記複数の被写体の焦点調節を行う順位付けを行う撮像方法。
【請求項１８】
複数の被写体に順次焦点を合わせて動画を撮像する撮像方法であって、
撮像部により撮像される光学像に含まれる複数の被写体を特定するステップと、
前記複数の被写体の焦点調節の順位付けを行うステップと、
制御部が自動焦点調節部を制御し、前記複数の被写体の前記焦点調節を行う順位にしたがって前記自動焦点調節部による各被写体の自動焦点調節を順次行わせるステップと、を含み、
前記制御部が自動焦点調節部を制御するステップは、
前記自動焦点調節部を制御し、前記複数の被写体のうちの一の被写体に対する自動焦点調節を一定時間継続させる合焦制御を、前記順位付けられた順に繰り返し実行させ、
前記複数の被写体の焦点調節の順位付けを行うステップは、前記複数の被写体の各被写体の前記動画中での移動速度に基づいて前記複数の被写体の焦点調節を行う順位付けを行う撮像方法。
【請求項１９】
請求項１７又は１８に記載の撮像方法を撮像装置内のコンピュータにより実現させるプログラム。
【請求項２０】
請求項１７又は１８に記載の撮像方法を撮像装置内のコンピュータにより実現させるプログラムが格納された記録媒体。
【国際調査報告】
2019187648.tif 000020
2019187648.tif 000021
2019187648.tif 000022
2019187648.tif 000023